(57)【要約】  ５Ｇ  ＮＲシステムにおいてユーザ機器（ＵＥ）と基地局との間のアップリンク送信を処理するための方法を説明する。実装形態では、ＵＥ（１１０）は、アップリンク送信スキップ機能の第１構成を示すネットワーク設定のＳｋｉｐＵｐｌｉｎｋＴｘＤｙｎａｍｉｃフィールドを含む第１の無線リソース制御メッセージ（５０５）を基地局（１２０）から受信する。ネットワーク設定のＳｋｉｐＵｐｌｉｎｋＴｘＤｙｎａｍｉｃフィールドに関わらず、ＵＥは、アップリンク送信スキップ機能の第２構成を示すユーザ機器設定のＳｋｉｐＵｐｌｉｎｋＴｘＤｙｎａｍｉｃフィールド（５１０）を決定する。ＵＥは、ユーザ機器設定のＳｋｉｐＵｐｌｉｎｋＴｘＤｙｎａｍｉｃフィールドの表示を含む無線リソース完了メッセージ（５１５）を基地局に送信して、ネットワーク設定のＳｋｉｐＵｐｌｉｎｋＴｘＤｙｎａｍｉｃフィールドよりも優先させる。その後、様々な実装形態では、ＵＥは、アップリンク送信スキップ機能の第２構成を用いてアップリンク送信を処理する。【特許請求の範囲】
【請求項１】
ユーザ機器と基地局との間でアップリンク送信スキップ機能を構成するための方法であって、
前記アップリンク送信スキップ機能の第１構成を示すネットワーク設定のＳｋｉｐＵｐｌｉｎｋＴｘＤｙｎａｍｉｃフィールドを含む第１の無線リソース制御メッセージを前記基地局から受信するステップと、
前記アップリンク送信スキップ機能の第２構成を示すユーザ機器設定のＳｋｉｐＵｐｌｉｎｋＴｘＤｙｎａｍｉｃフィールドを前記ユーザ機器において決定するステップと、
前記ユーザ機器設定のＳｋｉｐＵｐｌｉｎｋＴｘＤｙｎａｍｉｃフィールドの表示を含む無線リソース完了メッセージ前記基地局に送信するステップと、
前記アップリンク送信スキップ機能の前記第２構成を用いてアップリンク送信を前記ユーザ機器において処理するステップとを含む、方法。
【請求項２】
前記ユーザ機器設定のＳｋｉｐＵｐｌｉｎｋＴｘＤｙｎａｍｉｃフィールドは、ｔｒｕｅに設定されており、
前記アップリンク送信スキップ機能の前記第２構成を用いて前記アップリンク送信を処理するステップは、
ユーザ機器メモリバッファが前記基地局に送信されるデータを含む場合のみ、前記ユーザ機器設定のＳｋｉｐＵｐｌｉｎｋＴｘＤｙｎａｍｉｃフィールドがｔｒｕｅに設定されていることに基づいてＭｅｄｉａ  Ａｃｃｅｓｓ  Ｃｏｎｔｒｏｌ  Ｐｒｏｔｏｃｏｌ  Ｄａｔａ  Ｕｎｉｔ（ＭＡＣ  ＰＤＵ）を生成して前記基地局に送信するステップを含む、請求項１に記載の方法。
【請求項３】
前記ユーザ機器設定のＳｋｉｐＵｐｌｉｎｋＴｘＤｙｎａｍｉｃフィールドはｔｒｕｅに設定されており、前記アップリンク送信スキップ機能の前記第２構成を用いて前記アップリンク送信を処理するステップは、
送信グラントが、前記ユーザ機器のＣ−ＲＮＴＩ（Ｃｅｌｌ  Ｒａｄｉｏ  Ｎｅｔｗｏｒｋ  Ｔｅｍｐｏｒａｒｙ  Ｉｄｅｎｔｉｆｉｅｒ）に宛てられている、または構成済みアップリンクグラントであり、
ａｐｅｒｉｏｄｉｃ  ＣＳＩ（Ｃｈａｎｎｅｌ  Ｓｔａｔｅ  Ｉｎｆｏｒｍａｔｉｏｎ）リポートの特定の物理上りリンク共有チャネル送信要求がなく、
前記Ｍｅｄｉａ  Ａｃｃｅｓｓ  Ｃｏｎｔｒｏｌ  Ｐｒｏｔｏｃｏｌ  Ｄａｔａ  ＵｎｉｔがゼロＭｅｄｉａ  Ａｃｃｅｓｓ  Ｃｏｎｔｒｏｌ  Ｓｅｒｖｉｃｅ  Ｄａｔａ  Ｕｎｉｔ（ＭＡＣ  ＳＤＵ）を含み、
前記Ｍｅｄｉａ  Ａｃｃｅｓｓ  Ｃｏｎｔｒｏｌ  Ｐｒｏｔｏｃｏｌ  Ｄａｔａ  Ｕｎｉｔが周期的バッファステータスリポート（ＢＳＲ）のみを含み、かつ、任意のＬＣＧ（Ｌｏｇｉｃａｌ  Ｃｈａｎｎｅｌ  Ｇｒｏｕｐ）が利用可能なデータがない、または、前記Ｍｅｄｉａ  Ａｃｃｅｓｓ  Ｃｏｎｔｒｏｌ  Ｐｒｏｔｏｃｏｌ  Ｄａｔａ  Ｕｎｉｔがパティングバッファステータスリポートのみを含む場合、
前記ユーザ機器設定のＳｋｉｐＵｐｌｉｎｋＴｘＤｙｎａｍｉｃフィールドがｔｒｕｅに設定されていることに基づいて、Ｍｅｄｉａ  Ａｃｃｅｓｓ  Ｃｏｎｔｒｏｌ  Ｐｒｏｔｏｃｏｌ  Ｄａｔａ  Ｕｎｉｔを生成して前記基地局に送信することを控えるステップを含む、請求項１または２に記載の方法。
【請求項４】
前記送信グラントまたは前記構成済みアップリンクグラントは、ハイブリッド自動再送要求エンティティ（ＨＡＲＱエンティティ）に対して示されている、請求項３に記載の方法。
【請求項５】
前記ユーザ機器設定のＳｋｉｐＵｐｌｉｎｋＴｘＤｙｎａｍｉｃフィールドは、ｆａｌｓｅに設定されており、
前記アップリンク送信スキップ機能の前記第２構成を用いて前記アップリンク送信を処理するステップは、
前記アップリンク送信スキップ機能をサポートしないステップを含む、請求項１に記載の方法。
【請求項６】
前記アップリンク送信スキップ機能をサポートしないステップは、
前記ユーザ機器のＣｅｌｌ  Ｒａｄｉｏ  Ｎｅｔｗｏｒｋ  Ｔｅｍｐｏｒａｒｙ  Ｉｄｅｎｔｉｆｉｅｒ（Ｃ−ＲＮＴＩ）に宛てられた送信グラントを受信するまたは構成済みアップリンクグラントを受信することに応答してＭｅｄｉａ  Ａｃｃｅｓｓ  Ｃｏｎｔｒｏｌ  Ｐｒｏｔｏｃｏｌ  Ｄａｔａ  Ｕｎｉｔ（ＭＡＣ  ＰＤＵ）を生成するステップと、
前記Ｍｅｄｉａ  Ａｃｃｅｓｓ  Ｃｏｎｔｒｏｌ  Ｐｒｏｔｏｃｏｌ  Ｄａｔａ  Ｕｎｉｔを、前記送信グラントまたは前記構成済みアップリンクグラントにおいて示される時間／周波数リソースに含めて送信するステップとを含む、請求項５に記載の方法。
【請求項７】
前記Ｍｅｄｉａ  Ａｃｃｅｓｓ  Ｃｏｎｔｒｏｌ  Ｐｒｏｔｏｃｏｌ  Ｄａｔａ  Ｕｎｉｔは、１つ以上のＭｅｄｉａ  Ａｃｃｅｓｓ  Ｃｏｎｔｒｏｌ  Ｓｅｒｖｉｃｅ  Ｄａｔａ  Ｕｎｉｔ（ＭＡＣ  ＳＤＵ）を含む、請求項６に記載の方法。
【請求項８】
前記Ｍｅｄｉａ  Ａｃｃｅｓｓ  Ｃｏｎｔｒｏｌ  Ｐｒｏｔｏｃｏｌ  Ｄａｔａ  Ｕｎｉｔは、周期的バッファステータスリポートまたはパティングバッファステータスリポートのみを含む、請求項６に記載の方法。
【請求項９】
前記送信グラントまたは前記構成済みアップリンクグラントは、前記ユーザ機器のハイブリッド自動再送要求エンティティ（ＨＡＲＱエンティティ）に対して示されている、請求項６〜８のいずれか１項に記載の方法。
【請求項１０】
ユーザ機器と基地局との間のアップリンク送信のための方法であって、
アップリンク送信スキップ機能の第１構成を示すネットワーク設定のＳｋｉｐＵｐｌｉｎｋＴｘＤｙｎａｍｉｃフィールドを含む第１の無線リソース制御メッセージを前記ユーザ機器に送信するステップと、
前記アップリンク送信スキップ機能の第２構成を指定するユーザ機器設定のＳｋｉｐＵｐｌｉｎｋＴｘＤｙｎａｍｉｃフィールドの表示を含む無線リソース完了メッセージを前記ユーザ機器から受信するステップと、
前記アップリンク送信スキップ機能の前記第２構成を用いることに基づいて前記ユーザ機器と情報を交換するステップとを含む、方法。
【請求項１１】
前記アップリンク送信スキップ機能の前記第２構成は、前記アップリンク送信スキップ機能を有効にし、
前記ユーザ機器と情報を交換するステップは、ハイブリッド自動再送要求に対する、少なくとも１つのＭｅｄｉａ  Ａｃｃｅｓｓ  Ｃｏｎｔｒｏｌ  Ｐｒｏｔｏｃｏｌ  Ｄａｔａ  Ｕｎｉｔのアップリンク送信のスキップを想定することを含む、請求項１０に記載の方法。
【請求項１２】
前記第２構成を用いることに基づいて前記ユーザ機器と情報を交換するステップは、
前記想定されたアップリンク送信スキップに応答して、再送要求を前記ユーザ機器に送信することを控えるステップを含む、請求項１１に記載の方法。
【請求項１３】
前記ネットワーク設定のＳｋｉｐＵｐｌｉｎｋＴｘＤｙｎａｍｉｃフィールドが示す前記第１構成は、前記ユーザ機器設定のＳｋｉｐＵｐｌｉｎｋＴｘＤｙｎａｍｉｃフィールドが示す前記第２構成とは異なり、
前記アップリンク送信スキップ機能の前記第２構成を用いることに基づいて前記ユーザ機器と情報を交換するステップは、
前記情報を交換するステップに用いられる前記アップリンク送信スキップ機能を定めるために前記第１構成よりも前記第２構成を優先するステップを含む、請求項１０〜１２のいずれか１項に記載の方法。
【請求項１４】
ユーザ機器装置であって、
少なくとも１つのワイヤレストランシーバと、
プロセッサと、
前記プロセッサによる実行に応じて前記少なくとも１つのワイヤレストランシーバを用いて請求項１〜９に記載の方法のうちのいずれか１つを実行するよう前記ユーザ機器装置に指示するための命令を含んだコンピュータ読み取り可能な記憶媒体とを備える、ユーザ機器装置。
【請求項１５】
基地局装置であって、
少なくとも１つのワイヤレストランシーバと、
プロセッサと、
前記プロセッサによる実行に応じて前記少なくとも１つのワイヤレストランシーバを用いて請求項１０〜１３に記載の方法のうちのいずれか１つを実行するよう前記基地局装置を指示するための命令を含んだコンピュータ読み取り可能な記憶媒体とを備える、基地局装置。
【発明の詳細な説明】
【背景技術】
【０００１】
背景
ワイヤレス通信の５Ｇ  ＮＲ（Ｆｉｆｔｈ  Ｇｅｎｅｒａｔｉｏｎ  Ｎｅｗ  Ｒａｄｉｏ）規格および技術への進化によって、信頼性が向上し、かつ待機時間が短縮した、データ転送速度の高速化および容量の増加がもたらされる。これによって、モバイルブロードバンドサービスが向上する。また、５Ｇ技術によって、車載ネットワーキング、固定ワイヤレスブロードバンド、およびＩｏＴ（Ｉｎｔｅｒｎｅｔ  ｏｆ  Ｔｈｉｎｇｓ）のための新しいクラスのサービスがもたらされる。
【０００２】
しかしながら、５Ｇ  ＮＲ技術の利用によって、エアインターフェースリソース割り当てに関する問題など、特定の問題が生じる。５Ｇ  ＮＲシステムの仕様および規格によって、スマートフォンなどユーザ機器（ＵＥ：Ｕｓｅｒ  Ｅｑｕｉｐｍｅｎｔ）とｇＮｏｄｅＢ（ｇＮＢ）基地局との間で、ＵＥが送信するデータを有さない場合など特定の状況において、アップリンク送信をスキップすることができる。これは、アップリンク送信スキップ機能と呼ばれ、５Ｇシステムの送信リソースおよびＵＥの消費電力を節約するのに役立つ。しかしながら、アップリンク送信スキップ機能を実現するための現在の規格は、電子リソースおよびエアインターフェースリソースの不要な操作または好ましくない割り当ての一因となり得る。
【０００３】
より詳細には、アップリンク送信スキップ機能を実現する現在の規格では、曖昧さを生じさせる可能性があり、これによって、ＵＥとｇＮＢとの間でこの機能に関して解釈の違いが生じ得る。この機能に関してｇＮＢとＵＥとの設定が異なる場合、ＵＥが、実際には送信するデータがないのにアップリンクメッセージを繰り返し送信してしまうため、リソースが無駄になってしまう。
【発明の概要】
【課題を解決するための手段】
【０００４】
概要
この概要は、５Ｇ  ＮＲシステムにおいてアップリンク送信を処理することと、アップリンク送信を実行するようにＵＥを構成することについての簡単な概要を紹介するために設けられている。当該簡単な概要については、以下の詳細な説明においてさらに説明する。この概要は、クレームされる主題の本質的な特徴の特定を目的とせず、クレームされる主題の範囲の決定に用いるためのものでもない。
【０００５】
５Ｇ  ＮＲシステムにおいてユーザ機器（ＵＥ）と基地局との間のアップリンク送信を処理するための方法を説明する。実装形態では、ＵＥは、アップリンク送信スキップ機能の第１構成を示すネットワーク設定のＳｋｉｐＵｐｌｉｎｋＴｘＤｙｎａｍｉｃフィールドを含む第１の無線リソース制御メッセージを基地局から受信する。ネットワーク設定のＳｋｉｐＵｐｌｉｎｋＴｘＤｙｎａｍｉｃフィールドに関わらず、ＵＥは、アップリンク送信スキップ機能の第２構成を示すユーザ機器設定のＳｋｉｐＵｐｌｉｎｋＴｘＤｙｎａｍｉｃフィールドを決定する。ＵＥは、ユーザ機器設定のＳｋｉｐＵｐｌｉｎｋＴｘＤｙｎａｍｉｃフィールドの表示を含む無線リソース完了メッセージを基地局に送信し、ネットワーク設定のＳｋｉｐＵｐｌｉｎｋＴｘＤｙｎａｍｉｃフィールドよりも優先させる。その後、様々な実装形態では、ＵＥは、アップリンク送信スキップ機能の第２構成を用いてアップリンク送信を処理する。
【０００６】
１つ以上の実装形態では、基地局は、アップリンク送信スキップ機能の第１構成を示すネットワーク設定のＳｋｉｐＵｐｌｉｎｋＴｘＤｙｎａｍｉｃフィールドを含む第１の無線リソース制御メッセージをユーザ機器に送信する。その後、基地局は、アップリンク送信スキップ機能の第２構成を指定するユーザ機器設定のＳｋｉｐＵｐｌｉｎｋＴｘＤｙｎａｍｉｃフィールドの表示を含む無線リソース完了メッセージを、ユーザ機器から受信する。様々な実装形態では、基地局は、アップリンク送信スキップ機能の第２構成を使用することに基づいてユーザ機器と情報を交換する。
【０００７】
１つ以上の態様では、ｇＮＢ基地局は、アップリンク送信スキップ機能をＵＥが実装できるかどうかを定めるｓｋｉｐＵｐｌｉｎｋＴｘＤｙｎａｍｉｃ（ＳＵＴＤ）フィールドを設定する。ｇＮＢ基地局は、ＳＵＴＤフィールドを含んだ第１のＲａｄｉｏ  Ｒｅｓｏｕｒｃｅ  Ｃｏｎｔｒｏｌ（ＲＲＣ）メッセージをＵＥに送信し、それに応答して、第１のＲＲＣ完了メッセージをＵＥから受信する。ＳＵＴＤフィールドに従って、ｇＮＢ基地局は、アップリンク送信スキップ機能を認識する。
【０００８】
その他の態様によると、ｇＮＢ基地局は、アップリンク送信スキップ機能をＵＥが採用できるかどうかを定めるｓｋｉｐＵｐｌｉｎｋＴｘＤｙｎａｍｉｃ（ＳＵＴＤ）フィールドを設定する。ｇＮＢ基地局は、ＳＵＴＤフィールドを含んだ第１のＲＲＣメッセージをＵＥに送信し、ｇＮＢ基地局は、ＵＥからの第１のＲＲＣ完了メッセージに応答してアップリンク送信スキップ機能を受信し、ＳＵＴＤフィールドに従って認識する。
【０００９】
１つ以上の態様によると、ＵＥは、アップリンク送信スキップ機能をＵＥが採用できるかどうかを定めるｓｋｉｐＵｐｌｉｎｋＴｘＤｙｎａｍｉｃ（ＳＵＴＤ）フィールドを含む第１のＲａｄｉｏ  Ｒｅｓｏｕｒｃｅ  Ｃｏｎｔｒｏｌ（ＲＲＣ）メッセージをｇＮＢ基地局から受信する。これに応答して、ＵＥは、第１のＲＲＣ完了メッセージをｇＮＢ基地局に送信し、ＳＵＴＤフィールドに従ってＳＵＴＤ機能を実施する。ＵＥがＳＵＴＤ機能をサポートしない場合、ｇＮＢ基地局が送信したＳＵＴＤフィールドに関わらず、ＳＵＴＤステータス表示は、単に「有効」を示し得る。ＵＥがＳＵＴＤ機能をサポートする場合、ＳＵＴＤステータス表示は、ユーザ機器設定のＳｋｉｐＵｐｌｉｎｋＴｘＤｙｎａｍｉｃ（ＵＥ設定のＳＵＴＤ）フィールドを含み得る。
【００１０】
５Ｇ  ＮＲシステムにおいてアップリンク送信を処理するための態様を、下記の添付の図面を参照しながら説明する。図面全体を通して、同一の番号を用いて同一の特徴および構成要素を指す。
【図面の簡単な説明】
【００１１】
【図１】５Ｇ  ＮＲシステムにおいてアップリンク送信を処理する様々な態様が実現され得る５Ｇ  ＮＲワイヤレスネットワーク環境の例を示す図である。
【図２】５Ｇ  ＮＲシステムにおいてアップリンク送信を処理するための様々な態様を実現できるデバイスのデバイス図の例を示す。
【図３】５Ｇ  ＮＲシステムにおいてアップリンク送信を処理するための態様が実現され得るワイヤレスネットワークスタックの例を示す。
【図４】５Ｇ  ＮＲシステムにおいてアップリンク送信を処理するためのシグナリングおよび制御のトランザクションの例を示しており、ここでは、基地局（たとえば、ｇＮＢ基地局）がＳＵＴＤフィールドを構成し、ＳＵＴＤフィールドがＵＥによって受信されて実装され、第１のＲＲＣ完了メッセージを基地局に返す。
【図５】５Ｇ  ＮＲシステムにおいてアップリンク送信を処理するためのシグナリングおよび制御のトランザクションの例を示しており、ここでは、基地局（たとえば、ｇＮＢ基地局）から第１のＲＲＣメッセージを受信した後、ＵＥは、ＳＵＴＤフィールドを構成し、ユーザ機器設定のＳｋｉｐＵｐｌｉｎｋＴｘＤｙｎａｍｉｃ（ＵＥ設定のＳＵＴＤ）フィールドを含んだ第１のＲＲＣ完了メッセージを基地局に返す。
【図６】５Ｇ  ＮＲシステムにおいてアップリンク送信を処理するためのシグナリングおよび制御のトランザクションの例を示しており、ここでは、ＵＥはＳＵＴＤ機能をサポートしておらず、ネットワーク設定のＳｋｉｐＵｐｌｉｎｋＴｒａｎｍｉｓｓｉｏｎＤｙｎａｍｉｃ（ネットワーク設定のＳＵＴＤ）フィールドを含んだ第１のＲＲＣメッセージを基地局（たとえば、ｇＮＢ基地局）から受信した後、ＵＥは、ＳＵＴＤフィールドが「有効」であると示す第１のＲＲＣ完了メッセージを基地局に返す。
【図７】１つ以上の実施の形態に係る、アップリンク送信を処理するための工程の例を示すフローチャートである。
【図８】５Ｇ  ＮＲシステムにおいてアップリンク送信を処理する様々な態様に係る方法の例を示す。
【図９】５Ｇ  ＮＲシステムにおいてアップリンク送信を処理する様々な態様に係る方法の例を示す。
【発明を実施するための形態】
【００１２】
詳細な説明
概要
本明細書は、５Ｇ  ＮＲシステムにおいてアップリンク送信を処理するための方法およびデバイスを説明する。次の仕様を、本開示の一部として引用により援用する。
【００１３】
［１］３ＧＰＰ  ＴＳ  ３８．３３１  ｖ１５．３．０
［２］３ＧＰＰ  ＴＳ  ３８．３２１  ｖ１５．３．０
［３］３ＧＰＰ  ＴＳ  ３８．３００  ｖ１５．３．０
［４］３ＧＰＰ  ＴＳ  ３７．３４０  ｖ１５．３．０
下記は、３ＧＰＰ  ＴＳ  ３８．３３１  ｖ１５．３．０の、ＭＡＣ−ＣｅｌｌＧｒｏｕｐＣｏｎｆｉｇ  ｆｉｅｌｄ  ｄｅｓｃｒｉｐｔｉｏｎｓというヘッダ部分からの抜粋である。「skipUplinkTxDynamic If set to true, the UE skips UL transmissions for an uplink grant other than a configured uplink grant if no data is available for transmission in the UE buffer as described in TS 38.321.（ｓｋｉｐＵｐｌｉｎｋＴｘＤｙｎａｍｉｃ：ｔｒｕｅに設定されている場合、ＴＳ  ３８．３２１に記載のように、送信可能なデータがＵＥバッファにない場合、ＵＥは、構成済みアップリンクグラント以外のアップリンクグラントのためのＵＬ送信をスキップする。）」。比較のために、下記は、３ＧＰＰ  ＴＳ  ３８．３２１  ｖ１５．３．０からの抜粋である。
【００１４】
The MAC entity shall not generate a media access control protocol data unit （MAC PDU）for the hybrid automatic repeat request entity （HARQ entity）if the following conditions are satisfied:（ＭＡＣエンティティは、下記の条件を満たす場合、ハイブリッド自動再送要求エンティティ（ＨＡＲＱ：Ｈｙｂｒｉｄ  Ａｕｔｏｍａｔｉｃ  Ｒｅｐｅａｔ  Ｒｅｑｕｅｓｔエンティティ）のためのＭｅｄｉａ  Ａｃｃｅｓｓ  Ｃｏｎｔｒｏｌ  Ｐｒｏｔｏｃｏｌ  Ｄａｔａ  Ｕｎｉｔ（ＭＡＣ  ＰＤＵ）を生成してはならない：）
-the MAC entity is configured with skipUplinkTxDynamic and the grant indicated to the HARQ entity was addressed to a C-RNTI, or the grant indicated to the HARQ entity is a configured uplink grant ....（ＭＡＣエンティティがｓｋｉｐＵｐｌｉｎｋＴｘＤｙｎａｍｉｃを有して構成され、かつ、ＨＡＲＱエンティティに示される許可がＣ−ＲＮＴＩに宛てられていた場合、またはＨＡＲＱエンティティに示される許可が構成済みアップリンクグラントである場合．．．．）
上記仕様の抜粋は、３ＧＰＰ仕様においての曖昧さや、考えられるコンフリクトと見なされるものを示している。ＰＤＵがＰｒｏｔｏｃｏｌ  Ｄａｔａ  Ｕｎｉｔを指すことは、当業者であれば分かるであろう。
【００１５】
これらの３ＧＰＰ仕様に基づいた考えられる解釈が３つある。第１の解釈（「解釈１」）では、ｆａｌｓｅに設定されたｓｋｉｐＵｐｌｉｎｋＴｘＤｙｎａｍｉｃ（ＳＵＴＤ）フィールドを有してＵＥのＭＡＣエンティティが構成される場合、ＵＥのＭＡＣエンティティは、ＵＥのＣｅｌｌ  Ｒａｄｉｏ  Ｎｅｔｗｏｒｋ  Ｔｅｍｐｏｒａｒｙ  Ｉｄｅｎｔｉｆｉｅｒ（Ｃ−ＲＮＴＩ）に宛てられたアップリンクグラント、または構成済みアップリンクグラントを受信し、ＵＥのＭＡＣエンティティは、Ｍｅｄｉａ  Ａｃｃｅｓｓ  Ｃｏｎｔｒｏｌ  Ｐｒｏｔｏｃｏｌ  Ｄａｔａ  Ｕｎｉｔ（ＭＡＣ  ＰＤＵ）を生成しない。第２の解釈（「解釈２」）では、ｓｋｉｐＵｐｌｉｎｋＴｘＤｙｎａｍｉｃにどのような値（ｔｒｕｅまたはｆａｌｓｅ）が設定されていようとも、３８．３３１ではなく３ＧＰＰ  ＴＳ  ３８．３２１に従う。第３の解釈（「解釈３」）では、上記ケースにおいて、３８．３２１ではなく３ＧＰＰ  ＴＳ  ３８．３３１に従う。
【００１６】
３ＧＰＰ仕様のこれらの３つの考えられる解釈によって、アップリンク送信に影響を与える３つの潜在的な問題が生じる。第１の潜在的な問題は、ＵＥが解釈２に従うが、関連するｇＮＢ基地局は解釈１に従うという、相互運用性の問題である。この場合、ＵＥは、いくつかの条件を満たす場合、構成済みアップリンクグラントに従ってＭｅｄｉａ  Ａｃｃｅｓｓ  Ｃｏｎｔｒｏｌ  Ｐｒｏｔｏｃｏｌ  Ｄａｔａ  Ｕｎｉｔ（ＭＡＣ  ＰＤＵ）を生成することがない。具体的には、（１）ＵＥにおいてｓｋｉｐＵｐｌｉｎｋＴｘＤｙｎａｍｉｃ（ＳＵＴＤ）フィールドがｔｒｕｅに設定されており、かつ（２）（ＴＳ  ３８．２１２において指定されるような）ａｐｅｒｉｏｄｉｃ  ＣＳＩの特定のＰＵＳＣＨ送信要求がなく、かつ（３）ＭＡＣ  ＰＤＵがＭｅｄｉａ  Ａｃｃｅｓｓ  Ｃｏｎｔｒｏｌ  Ｓｅｒｖｉｃｅ  Ｄａｔａ  Ｕｎｉｔ（ＭＡＣ  ＳＤＵ）を含まず、かつ（４）ＭＡＣ  ＰＤＵがｐｅｒｉｏｄｉｃ  ＢＳＲのみを含み、かつ（５）（ａ）ＬＣＧが利用可能なデータがないまたは（５）（ｂ）ＭＡＣ  ＰＤＵがｐａｄｄｉｎｇ  ＢＳＲのみを含む場合、ＵＥは、ＭＡＣ  ＰＤＵを生成しない。
【００１７】
ＭＡＣ  ＰＤＵを生成しないと、ＵＥは、構成済みアップリンクグラントに示されている時間／周波数リソース（複数可）を用いて新しい信号をｇＮＢ基地局に送信することはない。しかしながら、構成済みアップリンクグラントをＵＥに構成するｇＮＢ基地局は、構成済みアップリンクグラントに従ってＵＥがＭＡＣ  ＰＤＵを送信すると予想する。構成済みアップリンクグラントに示される時間／周波数リソース（複数可）に含められた新しい送信をＵＥから受信しないので、ｇＮＢ基地局は、ＵＥのＣ−ＲＮＴＩに宛てられた第１のアップリンクグラントをＵＥに送信し、ＵＥに第１再送を行うよう要求する。ＵＥは、新しい送信のためのＭＡＣ  ＰＤＵを生成しないので、第１再送を、第１のアップリンクグラントにおいて示される時間／周波数リソース（複数可）に含めてｇＮＢ基地局に送信しない。ｇＮＢ基地局は、第１再送を受信しないので、ＵＥのＣ−ＲＮＴＩに宛てられた第２のアップリンクグラントをＵＥに送信して、第２再送を要求する。ＵＥは、新しい送信のためのＭＡＣ  ＰＤＵを生成しないので、第２再送を、第２のアップリンクグラントにおいて示される時間／周波数リソース（複数可）に含めてｇＮＢ基地局に送信しない。タイムアウトするまで、または許容可能な数の再送要求を行うまで、ｇＮＢ基地局は、再送を送信するようＵＥに要求を複数回繰り返す。
【００１８】
第２の潜在的な問題は、解放や無効化の問題である。ＵＥが「ｓｋｉｐＵｐｌｉｎｋＴｘＤｙｎａｍｉｃ」を有して構成された後、ｇＮＢ基地局がアップリンク送信をスキップしないようにＲＲＣを用いてＵＥを構成することができない場合、ｓｋｉｐＵｐｌｉｎｋＴｘＤｙｎａｍｉｃは、効果的に解放されたり、無効にされたりしない。
【００１９】
３ＧＰＰ  ＴＳ  ３８．３２１およびＴＳ  ３８．３３１の共通部分に端を発する第３の潜在的な問題は、潜在的な無効な構成の問題である。この問題は、アップリンク送信スキップ機能をサポートしないＵＥがｇＮＢ基地局からＳＵＴＤフィールドを受信した場合に起こり得る。この場合、ＵＥは、アップリンク送信のスキップをサポートしていないので、ＳＵＴＤフィールドを無効な構成であると判断する。この判断に応答して、ＵＥは、ｇＮＢ基地局がｍａｓｔｅｒ  ｇＮＢ（ＭｇＮＢ）である場合、ＲＲＣ接続再確立プロシージャを開始し、ｇＮＢ基地局がｓｅｃｏｎｄａｒｙ  ｇＮＢ（ＳｇＮＢ）である場合、Ｓｅｃｏｎｄａｒｙ  Ｃｅｌｌ  Ｇｒｏｕｐ（ＳＣＧ）障害情報プロシージャを開始する。この場合、ＵＥとｇＮＢ基地局との間の接続は、不必要に遮断され得る。
【００２０】
アップリンク送信スキップ機能についてのこれらのおよびその他の潜在的な問題に対処するために、本明細書は、５Ｇ  ＮＲシステムにおいてアップリンク送信を処理するための方法、およびアップリンク送信を行うようにＵＥを構成するための方法について説明する。５Ｇ  ＮＲシステムにおけるアップリンク送信のための記載のシステムおよび方法の特徴および概念は、任意の異なる数の環境、システム、および／またはデバイスで実現されるが、これらの技術の態様を、下記の例示的なデバイスおよびシステムを背景に説明する。
【００２１】
環境例
図１は、例示的な環境１００を示す。環境１００は、１つ以上のｇＮＢ基地局を経由したワイヤレスリンクを用いた５Ｇ  ＮＲネットワークとの接続が構成されたユーザ機器１１０（ＵＥ１１０）を含む。この例では、ＵＥ１１０は、スマートフォンとして実現される。スマートフォンとして例示しているが、ＵＥ１１０は、モバイル通信装置、モデム、携帯電話、ゲーム機、ナビゲーション装置、メディアデバイス、ラップトップコンピュータ、デスクトップコンピュータ、タブレットコンピュータ、スマート家電、車載通信システムなど、任意の適切なコンピューティングデバイスまたは電子機器として実現されてもよい。基地局１２０（たとえば、Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ  ＮｏｄｅＢ、Ｅ−ＵＴＲＡＮ  ＮｏｄｅＢ、ｅｖｏｌｖｅｄ  ＮｏｄｅＢ、ｅＮｏｄｅＢ、ｅＮＢ、Ｎｅｘｔ  Ｇｅｎｅｒａｔｉｏｎ  Ｎｏｄｅ  Ｂ、ｇＮｏｄｅＢ、ｇＮＢなど）は、マクロセル、マイクロセル、スモールセル、ピコセルなど、または、任意のそれらの組合せで実現されてもよい。
【００２２】
基地局１２０は、ワイヤレスリンク１３１および１３２を用いてＵＥ１１０と通信を行う。ワイヤレスリンク１３１および１３２は、任意の適切な種類のワイヤレスリンクとして実現されてもよい。ワイヤレスリンク１３１および１３２は、基地局１２０からＵＥ１１０に伝達されるデータおよび制御情報のダウンリンク、ＵＥ１１０から基地局１２０に伝達されるその他のデータおよび制御情報のアップリンク、またはその両方を含み得る。ワイヤレスリンク１３０は、任意の適切な通信プロトコルもしくは規格、または、３ｒｄ  Ｇｅｎｅｒａｔｉｏｎ  Ｐａｒｔｎｅｒｓｈｉｐ  Ｐｒｏｊｅｃｔ  Ｌｏｎｇ−Ｔｅｒｍ  Ｅｖｏｌｕｔｉｏｎ（３ＧＰＰ  ＬＴＥ）、Ｆｉｆｔｈ  Ｇｅｎｅｒａｔｉｏｎ  Ｎｅｗ  Ｒａｄｉｏ（５Ｇ  ＮＲ）などの通信プロトコルもしくは規格の任意の組合せを用いて実現される１つ以上のワイヤレスリンクもしくはベアラを含んでもよい。
【００２３】
複数のワイヤレスリンク１３０は、キャリアアグリゲーションに束ねられてＵＥ１１０向けのより速いデータ転送速度を提供してもよい。複数の基地局１２０からの複数のワイヤレスリンク１３０は、ＵＥ１１０とのＣｏｏｒｄｉｎａｔｅｄ  Ｍｕｌｔｉｐｏｉｎｔ（ＣｏＭＰ）通信用に構成されてもよい。基地局１２１および１２３からの複数のワイヤレスリンク１３１は、デュアルコネクティビティ（ＤＣ）に束ねられてＵＥ１１０向けのより速いデータ転送速度を提供してもよい。基地局１２２および１２４からの複数のワイヤレスリンク１３２は、デュアルコネクティビティに束ねられてＵＥ１１０向けのより速いデータ転送速度を提供してもよい。基地局１２１および１２２からの複数のワイヤレスリンク１３０は、デュアルコネクティビティ（ＤＣ）に束ねられてＵＥ１１０向けのより速いデータ転送速度を提供してもよい。
【００２４】
基地局１２０は、まとめて無線アクセスネットワーク１４０（ＲＡＮ、Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ、Ｅ−ＵＴＲＡＮ、５Ｇ  ＮＲ  ＲＡＮ、またはＮＲ  ＲＡＮ）である。ＲＡＮ１４０は、ＮＲ  ＲＡＮ１４１およびＥ−ＵＴＲＡＮ１４２として例示される。ＮＲ  ＲＡＮ１４１に含まれる基地局１２１および１２３は、Ｆｉｆｔｈ  Ｇｅｎｅｒａｔｉｏｎ  Ｃｏｒｅ１５０（５ＧＣ１５０）ネットワークに接続されている。Ｅ−ＵＴＲＡＮ１４２に含まれる基地局１２２および１２４は、Ｅｖｏｌｖｅｄ  Ｐａｃｋｅｔ  Ｃｏｒｅ１６０（ＥＰＣ１６０）に接続されている。任意または追加的に、Ｅ−ＵＴＲＡＮ１４２に含まれる基地局１２２は、５ＧＣ１５０およびＥＰＣ１６０ネットワークに接続してもよい。
【００２５】
基地局１２１および１２３は、それぞれ１０２および１０４から、制御プレーンシグナリングのためにＮＧ２インターフェースを用いて、ユーザプレーンデータ通信のためにＮＧ３インターフェースを用いて、５ＧＣ１５０に接続する。基地局１２２および１２４は、それぞれ１０６および１０８から、制御プレーンシグナリングおよびユーザプレーンデータ通信のためにＳ１インターフェースを用いてＥＰＣ１６０に接続する。任意または追加的に、基地局１２２が５ＧＣ１５０およびＥＰＣ１６０ネットワークに接続する場合、基地局１２２は、制御プレーンシグナリングのためにＮＧ２インターフェースを用いて、ユーザプレーンデータ通信のためにＮＧ３インターフェースを用いて、１８０から５ＧＣ１５０に接続する。
【００２６】
コアネットワークへの接続に加えて、基地局１２０同士が通信を行ってもよい。基地局１２１および１２３は、Ｘｎインターフェースを用いて１１２から通信を行う。基地局１２２および１２４は、Ｘ２インターフェースを用いて１１４から通信を行う。５ＧＣ１５０およびＥＰＣ１６０の両方に接続された基地局１２２は、１１６に図示するように、Ｘｎインターフェースを用いて基地局１２１および／または１２３と通信を行ってもよい。
【００２７】
５ＧＣ１５０は、５Ｇ  ＮＲネットワークにおける複数のＵＥ１１０の登録および認証、許可、モビリティ管理など、制御プレーン機能を提供するＡｃｃｅｓｓ  ａｎｄ  Ｍｏｂｉｌｉｔｙ  Ｍａｎａｇｅｍｅｎｔ  Ｆｕｎｃｔｉｏｎ１５２（ＡＭＦ１５２）を含む。ＥＰＣ１６０は、Ｅ−ＵＴＲＡネットワークにおける複数のＵＥ１１０の登録および認証、許可、モビリティ管理など、制御プレーン機能を提供するＭｏｂｉｌｉｔｙ  ａｎｄ  Ｍａｎａｇｅｍｅｎｔ  Ｅｎｔｉｔｙ１６２（ＭＭＥ１６２）を含む。ＡＭＦ１５２およびＭＭＥ１６２は、ＲＡＮ１４０において基地局１２０と通信を行い、また、基地局１２０を利用して、複数のＵＥ１１０と通信を行う。
【００２８】
ＥＵＴＲＡ−ＮＲデュアルコネクティビティ（ＥＮ−ＤＣ）の操作には、基地局１２１および１２３に５ＧＣ１５０は必要ではない。ｎｅｘｔ−ｇｅｎｅｒａｔｉｏｎ（ＮＧ）ＥＮ−ＤＣの操作には、基地局１２２および１２４にＥＰＣ１６０は必要ではない。ＮＲ−ＥＵＴＲＡデュアルコネクティビティ（ＮＥ−ＤＣ）の操作には、基地局１２２および１２４にＥＰＣ１６０は必要ではない。
【００２９】
デバイス例
図２は、ＵＥ１１０および基地局１２０の例示的なデバイス図２００を示す。ＵＥ１１０および基地局１２０は、明確にするために図２では省略されている追加機能および追加インターフェースを含んでもよい。ＵＥ１１０は、アンテナ２０２と、無線周波数フロントエンド２０４（ＲＦフロントエンド２０４）と、ＬＴＥトランシーバ２０６と、５Ｇ  ＲＡＮ１４１および／またはＥ−ＵＴＲＡＮ１４２において基地局１２０と通信を行うための５Ｇ  ＮＲトランシーバ２０８とを備える。ＵＥ１１０のＲＦフロントエンド２０４は、ＬＴＥトランシーバ２０６および５Ｇ  ＮＲトランシーバ２０８をアンテナ２０２に連結または接続して様々な種類のワイヤレス通信を容易にすることができる。ＵＥ１１０のアンテナ２０２は、同様に構成されたまたは互いに異なって構成された複数のアンテナのアレイを含んでもよい。アンテナ２０２およびＲＦフロントエンド２０４は、３ＧＰＰ  ＬＴＥおよび５Ｇ  ＮＲ通信規格で定義され、ＬＴＥトランシーバ２０６、および／または５Ｇ  ＮＲトランシーバ２０８によって実装された１つ以上の周波数帯域に同調され得る、および／または同調可能である。これに加えて、アンテナ２０２、ＲＦフロントエンド２０４、ＬＴＥトランシーバ２０６、および／または５Ｇ  ＮＲトランシーバ２０８は、基地局１２０との情報の送受信のためのビームフォーミングをサポートするように構成されてもよい。一例として、アンテナ２０２およびＲＦフロントエンド２０４は、３ＧＰＰ  ＬＴＥおよび５Ｇ  ＮＲ通信規格によって定義されるサブギガヘルツ帯域、サブ６ＧＨＺ帯域、および／または６ＧＨｚ帯域よりも上の帯域で動作するように実装することができるが、これらに限定されない。
【００３０】
また、ＵＥ１１０は、プロセッサ（複数可）２１０と、コンピュータ読み取り可能な記憶媒体２１２（ＣＲＭ２１２）とを備える。プロセッサ２１０は、シングルコアプロセッサであってもよく、シリコン、ポリシリコン、ｈｉｇｈ−Ｋ誘電体、銅など、様々な材料から構成されるマルチプルコアプロセッサであってもよい。本明細書に記載のコンピュータ読み取り可能な記憶媒体は、伝播信号を含まない。ＣＲＭ２１２は、ＵＥ１１０のデバイスデータ２１４を格納するために利用可能なＲａｎｄｏｍ−Ａｃｃｅｓｓ  Ｍｅｍｏｒｙ（ＲＡＭ）、Ｓｔａｔｉｃ  ＲＡＭ（ＳＲＡＭ）、Ｄｙｎａｍｉｃ  ＲＡＭ（ＤＲＡＭ）、Ｎｏｎ−Ｖｏｌａｔｉｌｅ  ＲＡＭ（ＮＶＲＡＭ）、Ｒｅａｄ−Ｏｎｌｙ  Ｍｅｍｏｒｙ（ＲＯＭ）、またはフラッシュメモリなど、任意の適切なメモリまたは記憶装置を含んでもよい。デバイスデータ２１４は、ユーザデータ、マルチメディアデータ、ビームフォーミングコードブック、アプリケーション、および／またはＵＥ１１０のオペレーティングシステムを含み、これらは、プロセッサ（複数可）２１０によって実行可能であり、ユーザプレーン通信、制御プレーンシグナリング、およびＵＥ１１０とのユーザインタラクションを可能にする。また、ＣＲＭ２１２は、ＵＥ１１０にワイヤレス接続されたｇＮＢに送信するためのデータを格納するためのＵＥデータバッファを含んでもよい。
【００３１】
また、ＣＲＭ２１２は、アップリンク送信マネージャ２１６を備える。代替的または追加的に、アップリンク送信マネージャ２１６は、全体または一部がＵＥ１１０のその他の構成要素と一体化されたまたは別個のハードウェアロジックまたは回路として実現されてもよい。少なくともいくつかの態様では、アップリンク送信マネージャ２１６は、アップリンク送信スキップ機能を実施するようＭｅｄｉａ  Ａｃｃｅｓｓ  Ｃｏｎｔｒｏｌ層（たとえば、図３のＭＡＣ３０８）を構成する。
【００３２】
図２に示す基地局１２０のデバイス図は、１つのネットワークノード（たとえば、ｇＮｏｄｅＢ）を含む。基地局１２０の機能は、複数のネットワークノード間またはデバイス間で分散されてもよく、本明細書に記載の機能を実行するのに適した方法で分散されてもよい。基地局１２０は、アンテナ２５２、無線周波数フロントエンド２５４（ＲＦフロントエンド２５４）、１つ以上のＬＴＥトランシーバ２５６、および／またはＵＥ１１０と通信を行うための１つ以上の５Ｇ  ＮＲトランシーバ２５８を備える。基地局１２０のＲＦフロントエンド２５４は、ＬＴＥトランシーバ２５６および５Ｇ  ＮＲトランシーバ２５８をアンテナ２５２に連結または接続して様々な種類のワイヤレス通信を容易にすることができる。基地局１２０のアンテナ２５２は、同様に構成されたまたは互いに異なって構成された複数のアンテナのアレイを含んでもよい。アンテナ２５２およびＲＦフロントエンド２５４は、３ＧＰＰ  ＬＴＥおよび５Ｇ  ＮＲ通信規格で定義され、ＬＴＥトランシーバ２５６、および／または５Ｇ  ＮＲトランシーバ２５８によって実装された１つ以上の周波数帯域に同調され得る、および／または同調可能である。これに加えて、アンテナ２５２、ＲＦフロントエンド２５４、ＬＴＥトランシーバ２５６、および／または５Ｇ  ＮＲトランシーバ２５８は、ＵＥ１１０との情報の送受信のためのＭａｓｓｉｖｅ−ＭＩＭＯなどのビームフォーミングをサポートするように構成されてもよい。
【００３３】
また、基地局１２０は、プロセッサ（複数可）２６０と、コンピュータ読み取り可能な記憶媒体２６２（ＣＲＭ２６２）とを備える。プロセッサ２６０は、シリコン、ポリシリコン、ｈｉｇｈ−Ｋ誘電体、銅など、様々な材料から構成されたシングルコアプロセッサまたはマルチプルコアプロセッサであってもよい。ＣＲＭ２６２は、基地局１２０のデバイスデータ２６４を格納するために利用可能なＲａｎｄｏｍ−Ａｃｃｅｓｓ  Ｍｅｍｏｒｙ（ＲＡＭ）、Ｓｔａｔｉｃ  ＲＡＭ（ＳＲＡＭ）、Ｄｙｎａｍｉｃ  ＲＡＭ（ＤＲＡＭ）、Ｎｏｎ−Ｖｏｌａｔｉｌｅ  ＲＡＭ（ＮＶＲＡＭ）、Ｒｅａｄ−Ｏｎｌｙ  Ｍｅｍｏｒｙ（ＲＯＭ）、またはフラッシュメモリなど、任意の適切なメモリまたは記憶装置を含んでもよい。デバイスデータ２６４は、ネットワークスケジューリングデータ、無線リソース管理データ、ビームフォーミングコードブック、アプリケーション、および／または基地局１２０のオペレーティングシステムを含み、これらは、プロセッサ（複数可）２６０によって実行可能であり、ＵＥ１１０との通信を可能にする。
【００３４】
また、ＣＲＭ２６２は、基地局マネージャ２６６を備える。代替的または追加的に、基地局マネージャ２６６は、全体または一部が基地局１２０のその他の構成要素と一体化されたまたは別個のハードウェアロジックまたは回路として実現されてもよい。少なくともいくつかの態様では、基地局マネージャ２６６は、ＵＥ１１０との通信のため、およびコアネットワークとの通信のためにＬＴＥトランシーバ２５６および５Ｇ  ＮＲトランシーバ２５８を構成する。基地局１２０は、Ｘｎおよび／またはＸ２インターフェースなど、基地局間インターフェース２６８を含む。基地局間インターフェース２６８は、基地局マネージャ２６６によって、別の基地局１２０との間でユーザプレーンデータおよび制御プレーンデータをやり取りするように構成され、基地局１２０のＵＥ１１０との通信が管理される。基地局１２０は、コアネットワークインターフェース２７０を含む。コアネットワークインターフェース２７０は、基地局マネージャ２６６によって、ユーザプレーンデータおよび制御プレーンデータをコアネットワーク機能およびエンティティと交換するように構成される。
【００３５】
ユーザプレーンおよび制御プレーンシグナリング
図３は、５Ｇ  ＮＲシステムにおけるアップリンク送信の様々な態様が実装され得る例示的な環境１００のための通信システムを特徴付けるワイヤレスネットワークスタックモデル３００の例示的なブロック図を示す。ワイヤレスネットワークスタック３００は、ユーザプレーン３０２と、制御プレーン３０４とを含む。ユーザプレーン３０２および制御プレーン３０４の上位層は、ワイヤレスネットワークスタック３００の共通下位層を共有する。ＵＥ１１０または基地局１２０などのワイヤレスデバイスは、各層を、当該層用に定義されたプロトコルを用いて別のデバイスと通信を行うためのエンティティとして実装する。たとえば、ＵＥ１１０は、Ｐａｃｋｅｔ  Ｄａｔａ  Ｃｏｎｖｅｒｇｅｎｃｅ  Ｐｒｏｔｏｃｏｌ（ＰＤＣＰ）を用いて基地局１２０におけるピアＰＤＣＰエンティティと通信を行うために、ＰＤＣＰエンティティを用いる。
【００３６】
共有下位層は、物理層３０６（ＰＨＹ層３０６）と、Ｍｅｄｉａ  Ａｃｃｅｓｓ  Ｃｏｎｔｒｏｌ層３０８（ＭＡＣ層３０８）と、Ｒａｄｉｏ  Ｌｉｎｋ  Ｃｏｎｔｒｏｌ層３１０（ＲＬＣ層３１０）と、Ｐａｃｋｅｔ  Ｄａｔａ  Ｃｏｎｖｅｒｇｅｎｃｅ  Ｐｒｏｔｏｃｏｌ層３１２（ＰＤＣＰ層３１２）とを含む。物理層３０６は、互いに通信を行うデバイスのハードウェア仕様を提供する。このように、物理層３０６は、どのようにデバイス同士が接続されるかを確立したり、デバイス間で通信リソースをどのように共有するかを管理することを支援したりする。
【００３７】
ＭＡＣ層３０８は、デバイス間でどのようにデータが転送されるかを指定する。一般に、ＭＡＣ層３０８は、送信されるデータパケットが伝送プロトコルの一部としてビットに符号化および復号化される方法を提供する。５Ｇ  ＮＲネットワークネットワークおよびＥ−ＵＴＲＡネットワークなど、いくつかの場合、ＭＡＣ層３０８は、Ｅ−ＵＴＲＡ  ＭＡＣおよび／またはＮＲ  ＭＡＣ（図示せず）を含み得る。ＥＮ−ＤＣ、ＮＧＥＮ−ＤＣ、およびＮＥ−ＤＣなど、その他の場合、ＭＡＣ層３０８は、Ｅ−ＵＴＲＡ  ＭＡＣ層および／またはＮＲ  ＭＡＣ層を含み得る。いくつかの実装形態では、第１のＭＡＣエンティティは、第１のＣｅｌｌ  Ｇｒｏｕｐ（ＣＧ）のためのＥ−ＵＴＲＡ  ＭＡＣ層の機能を操作し、第２のＭＡＣエンティティは、第２のＣＧのためのＮＲ  ＭＡＣ層の機能を操作する。ＮＲスタンドアロンまたはＮＲ−ＤＣなど、さらに別の場合、ＭＡＣ層３０８は、ＮＲ  ＭＡＣ層を含み得る。いくつかの実装形態では、あるＭＡＣエンティティは、第１のＣＧのためのＮＲ  ＭＡＣ層の機能を操作し、あるＭＡＣエンティティは、第２のＣＧのためのＮＲ  ＭＡＣ層の機能を操作する。
【００３８】
ＲＬＣ層３１０は、ワイヤレスネットワークスタック３００の上位層にデータ転送サービスを提供する。一般に、ＲＬＣ層３１０は、誤り訂正、パケットセグメンテーションおよび再構築、ならびにａｃｋｎｏｗｌｅｄｇｅｄ  ｍｏｄｅ、ｕｎａｃｋｎｏｗｌｅｄｇｅｄ  ｍｏｄｅ、またはｔｒａｎｓｐａｒｅｎｔ  ｍｏｄｅなど、様々なモードでのデータ転送の管理を提供する。ＥＮ−ＤＣ、ＮＧＥＮ−ＤＣ、およびＮＥ−ＤＣなど、いくつかの場合、ＲＬＣ層３１０は、Ｅ−ＵＴＲＡ  ＲＬＣ層および／またはＮＲ  ＲＬＣ層を含み得る。
【００３９】
ＰＤＣＰ層３１２は、ワイヤレスネットワークスタック３００の上位層にデータ転送サービスを提供する。一般に、ＰＤＣＰ層３１２は、ユーザプレーン３０２データおよび制御プレーン３０４データの転送、ヘッダ圧縮、暗号化、および完全性保護を提供する。ＥＮ−ＤＣなど、いくつかの場合、Ｅ−ＵＴＲＡ  ＰＤＣＰ層およびＮＲ  ＰＤＣＰ層が用いられてもよい。
【００４０】
ＰＤＣＰ層３１２よりも上の層では、ワイヤレスネットワークスタックは、ユーザプレーンスタック３０２と制御プレーンスタック３０４とに分かれる。ユーザプレーン３０２の層は、任意のＳｅｒｖｉｃｅ  Ｄａｔａ  Ａｄａｐｔａｔｉｏｎ  Ｐｒｏｔｏｃｏｌ層３１４（ＳＤＡＰ３１４）と、Ｉｎｔｅｒｎｅｔ  Ｐｒｏｔｏｃｏｌ層３１６（ＩＰ３１６）と、Ｔｒａｎｓｍｉｓｓｉｏｎ  Ｃｏｎｔｒｏｌ  Ｐｒｏｔｏｃｏｌ／Ｕｓｅｒ  Ｄａｔａｇｒａｍ  Ｐｒｏｔｏｃｏｌ層３１８（ＴＣＰ／ＵＤＰ３１８）と、ワイヤレスリンク１０６を利用してデータを転送するアプリケーション３２０とを含む。任意のＳＤＡＰ層３１４が５Ｇ  ＮＲネットワークに存在し、データ無線ベアラごとにＱｕａｌｉｔｙ  ｏｆ  Ｓｅｒｖｉｃｅ（ＱｏＳ）フローをマッピングし、パケットデータセッションごとのアップリンクデータパケットおよびダウンリンクデータパケットにＱｏＳフロー識別子の印を付ける。ＩＰ層３１６は、アプリケーション３２０からのデータがどのように宛先ノードに転送されるかを指定する。ＴＣＰ／ＵＤＰ層３１８は、アプリケーション３２０によるデータ転送用のＴＣＰまたはＵＤＰのいずれかを用いて、宛先ノードに転送されるよう意図されるデータパケットが宛先ノードに届いたことを確認するために用いられる。
【００４１】
制御プレーン３０４は、Ｒａｄｉｏ  Ｒｅｓｏｕｒｃｅ  Ｃｏｎｔｒｏｌ３２２（ＲＲＣ３２２）と、Ｎｏｎ−Ａｃｃｅｓｓ  Ｓｔｒａｔｕｍ３２４（ＮＡＳ３２４）とを含む。ＲＲＣ３２２は、接続および無線ベアラを確立および解除したり、システム情報を同報送信したり、電力制御を行ったりする。本明細書に記載するように、ＭＡＣ３０８は、５Ｇ  ＮＲシステムにおけるアップリンク送信のための技術を実装するようにふるまってもよい。ＮＡＳ３２４は、Ａｃｃｅｓｓ  ａｎｄ  Ｍｏｂｉｌｉｔｙ  Ｍａｎａｇｅｍｅｎｔ  Ｆｕｎｃｔｉｏｎ１５２（ＡＭＦ１５２）またはＭｏｂｉｌｉｔｙ  Ｍａｎａｇｅｍｅｎｔ  Ｅｎｔｉｔｙ１６２（ＭＭＥ１６２）など、コアネットワークにおけるエンティティまたは機能とユーザ機器１１０との間のモビリティ管理およびパケットデータベアラコンテキストについてのサポートを提供する。
【００４２】
ＵＥ１１０では、ワイヤレスネットワークスタック３００のユーザプレーン３０２および制御プレーン３０４の両方における各層は、基地局１２０の対応するピアレイヤもしくはエンティティ、コアネットワークエンティティもしくは機能、および／またはリモートサービスとやり取りを行って、ＮＲ  ＲＡＮ１４１またはＥ−ＵＴＲＡＮ１４２におけるＵＥ１１０のユーザアプリケーションおよび制御操作をサポートする。
【００４３】
方法例
５Ｇ  ＮＲシステム基地局（たとえば、基地局１２０）とユーザ機器（ＵＥ：Ｕｓｅｒ  Ｅｑｕｉｐｍｅｎｔ）（たとえば、ＵＥ１１０）との間のアップリンク送信を処理するための態様およびアップリンク送信を実行するようにＵＥを構成するための態様の１つ以上に係る、例示的なシグナリングおよび制御のトランザクションの図解４００〜６００を図４〜図６を参照して説明する。たとえば、このシグナリングおよび制御のトランザクションの図解は、図１のＵＥ１１０と基地局１２０との間のやり取りを例示しており、このやり取りは、５Ｇ  ＮＲシステムにおけるアップリンク送信を処理する１つ以上の態様を実施するために用いられ得る。
【００４４】
下記の説明において、「ｓｋｉｐＵｐｌｉｎｋＴｘＤｙｎａｍｉｃフィールド」、「ＳＵＴＤ要素」、「ｓｋｉｐＵｐｌｉｎｋＴｘＤｙｎａｍｉｃ  Ｉｎｆｏｒｍａｔｉｏｎ  Ｅｌｅｍｅｎｔ」、「ｓｋｉｐＵｐｌｉｎｋＴｘＤｙｎａｍｉｃ  ＩＥ」、「ＳＵＴＤフィールド」、「ＳＵＴＤ」、「ｓｋｉｐＵｐｌｉｎｋＴｘ」、および「ＳＵＴ」という用語は、同義で用いられ、選択された状況においてＵＥがアップリンク送信スキップ機能を有効にすることができるかどうかを定めるＵＥのプログラミングに関連する特定のフィールドを指す用語であると理解されたい。同様に、「アップリンク送信スキップ機能」という用語は、「ＳＵＴＤ機能」とも称す。「採用する」および「実装する」という用語は、ＳＵＴＤ機能に関して同義で用いられ、ＳＵＴＤ機能が利用されるかどうかを示す。「サポートする」および「認識する」という用語は、５Ｇ  ＮＲシステムの特定の要素（たとえば、ＵＥまたはｇＮＢ）がＳＵＴＤ機能を実装可能または採用可能であるかどうかを言及するために用いられる。
【００４５】
図４は、５Ｇ  ＮＲシステムにおいてアップリンク送信を処理するためのシグナリングおよび制御のトランザクションの図解４００を示す。実装形態では、図解４００は、上述した問題１および２のソリューションを提供するためにネットワーク（たとえば、ネットワーク１４０）において実行されるトランザクションを示す。図４の図解４００に示すように、４０５において、基地局１２０（たとえば、ｇＮＢ基地局）は、ＵＥ１１０に伝達するＳＵＴＤフィールドを構成する。一例として、アップリンク送信スキップ機能を有効にするようＵＥに指示するために、基地局１２０は、第１のＲＲＣメッセージ（たとえば、ＲＲＣＳｅｔｕｐメッセージ、ＲＲＣＲｅｃｏｎｆｉｇｕｒａｔｉｏｎメッセージ、またはＲＲＣＲｅｓｕｍｅメッセージ）に含まれるＳＵＴＤフィールドの値を「ｔｒｕｅ」に設定する。別の例として、アップリンク送信スキップ機能を無効にするおよび／またはサポートしないようＵＥに指示するために、基地局１２０は、ＲＲＣメッセージに含まれるＳＵＴＤフィールドの値を「ｆａｌｓｅ」に設定する。実装形態では、基地局１２０は、ネットワーク設定のＳｋｉｐＵｐｌｉｎｋＴｒａｎｍｉｓｓｉｏｎＤｙｎａｍｉｃ（ネットワーク設定のＳＵＴＤ）フィールドを構成する。
【００４６】
４１０において、基地局１２０（たとえば、ｇＮＢ基地局）は、ネットワーク設定のＳＵＴＤを含んだ第１のＲＲＣメッセージをＵＥ１１０に送信する。４１５において、基地局１２０（たとえば、ｇＮＢ基地局）は、ＲＲＣ完了メッセージ（たとえば、ＲＲＣＳｅｔｕｐＣｏｍｐｌｅｔｅメッセージ、ＲＲＣＲｅｃｏｎｆｉｇｕｒａｔｉｏｎＣｏｍｐｌｅｔｅメッセージ、またはＲＲＣＲｅｓｕｍｅＣｏｍｐｌｅｔｅメッセージ）をＵＥ１１０から受信する。実装形態では、基地局１２０は、ＲＲＣＳｅｔｕｐＣｏｍｐｌｅｔｅメッセージ内に設定されたＳＵＴＤ機能を識別および／または認識する。
【００４７】
図４に記された工程は、複数の異なる方法で進行する。一例において、基地局１２０（たとえば、ｇＮＢ基地局）は、アップリンク送信スキップ機能を有効にするようＵＥ１１０を指示または構成すると決定する。たとえば、基地局１２０は、ＵＥ１１０がアップリンク送信スキップ機能をサポートすると示す能力Ｉｎｆｏｒｍａｔｉｏｎ  Ｅｌｅｍｅｎｔ（ＩＥ）またはフィールドを受信する。一例として、ＵＥ１１０がアップリンク送信スキップ機能をサポートすると示す能力ＩＥ（またはフィールド）は、下記の形式である。
【００４８】
ｓｋｉｐＵｐｌｉｎｋＴｘＤｙｎａｍｉｃ      ＥＮＵＭＥＲＡＴＥＤ｛ｓｕｐｐｏｒｔｅｄ｝ＯＰＴＩＯＮＡＬ
代替的または追加的に、基地局１２０は、別のｇＮＢ基地局またはコアネットワーク機能（たとえば、図１のＡｃｃｅｓｓ  ａｎｄ  Ｍｏｂｉｌｉｔｙ  Ｍａｎａｇｅｍｅｎｔ  Ｆｕｎｃｔｉｏｎ１５２）から能力ＩＥを受信する。ＵＥがアップリンク送信スキップ機能をサポートすると示す能力ＩＥを受信することに応答して、基地局は、アップリンク送信スキップ機能を有効にするようＵＥ１１０に指示すると決定する。基地局１２０は、保存するために能力ＩＥをコアネットワーク機能に送る場合がある。
【００４９】
いくつかの実装形態では、基地局１２０が能力ＩＥを受信しないおよび／またはＵＥ１１０がアップリンク送信スキップ機能をサポートするかどうかを検出するように基地局１２０が構成されていないシナリオなどにおいて、基地局１２０（たとえば、ｇＮＢ基地局）は、アップリンク送信スキップ機能を無効にするおよび／またはサポートしないようにＵＥ１１０を指示または構成すると決定する。詳細は後述するが、ＵＥ１１０がアップリンク送信スキップ機能をサポートすると基地局１２０が決定した場合、基地局は、第１のＲＲＣメッセージをＵＥ１１０に送信する。そうでない場合、基地局１２０は、第１のＲＲＣメッセージをＵＥ１１０に送信しない、第１のＲＲＣメッセージはＳＵＴＤフィールドを含まない、または、基地局１２０は、第１のＲＲＣメッセージに含まれるＳＵＴＤフィールドをｆａｌｓｅに設定する。
【００５０】
図４に示す基地局１２０は、ｍａｓｔｅｒ  ｇＮＢ（ＭｇＮＢ）である場合がある。ＭｇＮＢは、４０５に示す第１のＲＲＣメッセージを、ＵＥ１１０に対応付けられたシグナリング無線ベアラ（ＳＲＢ）を用いてＵＥに送信する。ここで、ＵＥは、第１のＲＲＣメッセージを受信する前にＳＲＢを確立する。一例において、基地局１２０は、第１のＲＲＣメッセージ（たとえば、ＲＲＣＲｅｃｏｎｆｉｇｕｒａｔｉｏｎメッセージ）をＵＥに送信する前にＭｇＮＢによってＵＥに送信された第２のＲＲＣメッセージ（たとえば、ＲＲＣＳｅｔｕｐメッセージ）において、ＵＥ１１０へのＳＲＢ（たとえば、ＳＲＢ１）を構成する。別の例では、ＵＥ１１０は、基地局１２０からＲＲＣメッセージを受信しないでＳＲＢ（たとえば、ＳＲＢ０）を確立する。
【００５１】
いくつかの実装形態では、図４に示す基地局１２０は、ｓｅｃｏｎｄａｒｙ  ｇＮＢ（ＳｇＮＢ）であってもよい。ＳｇＮＢは、マスタ基地局（たとえば、ＭｇＮＢ、ｍａｓｔｅｒ  ｅＮＢ、またはｍａｓｔｅｒ  ｎｅｘｔ  ｇｅｎｅｒａｔｉｏｎｅＮＢ（Ｍｎｇ−ｅＮＢ））を利用して、４０５に示す第１のＲＲＣメッセージをＵＥ１１０に送信する場合がある。すなわち、マスタ基地局は、ＳｇＮＢから受信した第１のＲＲＣメッセージを第２のＲＲＣメッセージに含めて、第２のＲＲＣメッセージをＵＥに送信する（たとえば、ＳＲＢ（たとえば、ＳＲＢ１）上で）。この場合、マスタ基地局によって送信された第２のＲＲＣメッセージは、ｓｅｃｏｎｄａｒｙ  ｇＮＢからの第１のＲＲＣメッセージを含んでいる。同様に、マスタ基地局は、第２のＲＲＣメッセージに応答して、ＳＲＢ上でＵＥ１１０から第２のＲＲＣ完了メッセージを受信する場合がある。ＵＥ１１０は、４１５で説明した第１のＲＲＣ完了メッセージを第２のＲＲＣ完了メッセージに含めてもよく、マスタ基地局は、第１のＲＲＣ完了メッセージをＳｇＮＢに送信する。その他の実装形態では、ＳｇＮＢは、ＵＥに対応付けられたＳＲＢ（たとえば、ＳＲＢ３）上で第１のＲＲＣメッセージをＵＥ１１０に直接送信し、ＳｇＮＢは、ＳＲＢ上でＵＥから第１のＲＲＣ完了メッセージを直接受信する。
【００５２】
いくつかの実装形態では、図４に示す基地局１２０は、ＵＥ１１０のハンドオーバーにおけるターゲットｇＮＢであってもよい。ターゲットｇＮＢは、４０５に示す第１のＲＲＣメッセージを、ハンドオーバーにおけるソースｇＮＢを用いてＵＥ１１０に送信する。いくつかの実装形態では、ターゲットｇＮＢは、ＵＥに繋がっているソースｇＮＢからＨａｎｄｏｖｅｒ  Ｒｅｑｕｅｓｔメッセージを受信する。ターゲットｇＮＢは、第１のＲＲＣメッセージをＨａｎｄｏｖｅｒ  Ｒｅｑｕｅｓｔ  Ａｃｋｎｏｗｌｅｄｇｅメッセージに含めてソースｇＮＢに送信し、Ｈａｎｄｏｖｅｒ  Ｒｅｑｕｅｓｔメッセージに応答してＨａｎｄｏｖｅｒ  Ｒｅｑｕｅｓｔ  ＡｃｋｎｏｗｌｅｄｇｅメッセージをソースｇＮＢに送信する。次に、ソースｇＮＢは、第１のＲＲＣメッセージをＵＥ１１０に送信し、ＵＥ１１０は、４１５に示す第１のＲＲＣ完了メッセージをターゲットｇＮＢに送信する。その後、ＵＥは、第１のＲＲＣメッセージに含まれるＳＵＴＤフィールドに従ってＳＵＴＤ機能を実施する（たとえば、有効にまたは無効にする）。
【００５３】
上述した第１の変形例のように、「ｔｒｕｅ」に設定されたＳＵＴＤフィールドを基地局１２０（たとえば、ｇＮＢ基地局）がＵＥ１１０に送信する場合、動作中、基地局１２０は、ＵＥ１１０がアップリンク送信をスキップするときを検出する。ＳＵＴＤフィールドが「ｔｒｕｅ」に設定された状態で、プログラミングは、ＵＥ１１０のＭｅｄｉａ  Ａｃｃｅｓｓ  Ｃｏｎｔｒｏｌ（ＭＡＣ）エンティティにアップリンク送信をスキップするよう指示する、すなわち、詳細は後述するが、特定の状況（たとえば、図２のＣＲＭ２１２のＵＥデータバッファが送信するデータを有さない場合）においてＭＡＣ  ＰＤＵを生成するまたはｇＮＢ基地局に送信することを控えるよう指示する。ＳＵＴＤフィールドが「ｔｒｕｅ」に設定された状態で、ＵＥ１１０がアップリンク送信をスキップすることを基地局１２０が検出した場合、基地局１２０は、アップリンクグラント（「送信グラント」）をＵＥ１１０に送信して再送または新しい送信を送信するようＵＥ１１０を促すことはしない。反対に、その後、ＵＥ１１０が次の送信を送ると基地局１２０（たとえば、ｇＮＢ基地局）が検出した場合、基地局１２０は、アップリンクグラントをＵＥ１１０に送信し、再送または新しい送信を送るようＵＥ１１０を促して、必ず次の送信のデータがきちんと受信されるようにする。これは、上述した誤った再送要求の問題を防止するのに役立つ。
【００５４】
基地局１２０（たとえば、ｇＮＢ基地局）が「ｆａｌｓｅ」に設定されたＳＵＴＤフィールドをＵＥ１１０に送信し、アップリンクグラントまたは構成済みアップリンクグラントが示す送信を受信しなかった場合、基地局１２０は、再送または新しい送信を送るようＵＥ１１０を促すための方法として、アップリンクグラントをＵＥ１１０に送信する場合がある。
【００５５】
４０５で説明した第１のＲＲＣメッセージは、ｃｅｌｌ  ｇｒｏｕｐ（ＣＧ）（たとえば、ｍａｓｔｅｒ  ＣＧ（ＭＣＧ）またはｓｅｃｏｎｄａｒｙ  ＣＧ（ＳＣＧ））のＳＵＴＤフィールドを含み得る。ＵＥ１１０は、ＳＵＴＤフィールドに従って、ＣＧの送信スキップ機能を有効にまたは無効にする（および／またはサポートしない）と判断する。たとえば、ＳＵＴＤフィールドの値が「ｔｒｕｅ」である場合、ＵＥ１１０は、ＣＧのアップリンク送信スキップ機能を有効にする。この場合、上述した特定の状況および／または一連の条件などにおいて、ＵＥ１１０のプログラミングは、ＣＧに関連するＵＥ１１０のＭＡＣエンティティに、アップリンク送信をスキップし、ＭＡＣ  ＰＤＵを生成することまたはｇＮＢ基地局１２０に送信することを控えるよう指示する。別の例として、ＳＵＴＤフィールドの値が「ｆａｌｓｅ」に設定されている場合、ＵＥ１１０は、ＣＧのアップリンク送信スキップ機能を無効にするおよび／またはサポートしない。この場合、上述したように、特定の状況または一連の条件が生じた場合、ＵＥ１１０のプログラミングは、ＣＧに関連するＵＥ１１０のＭＡＣエンティティに、ＭＡＣ  ＰＤＵのｇＮＢへのアップリンク送信をスキップしないよう指示する。いずれの場合も、基地局１２０は、ネットワーク設定のＳＵＴＤフィールドの構成に従って認識し、動作する。
【００５６】
アップリンク送信スキップ機能が有効にされる（すなわち、ｇＮＢによってＵＴＤフィールドがｔｒｕｅに設定される）場合は常に、下記の一連の条件が生じるおよび／または満たす場合、ＣＧに通信可能に連結されたＵＥ１１０のＭＡＣエンティティ（たとえば、図３におけるＭＡＣ層３０８）は、ＣＧのＭＡＣ  ＰＤＵを生成しないまたは送信しない（たとえば、生成することまたは送信することを控える）。
【００５７】
−ＭＡＣエンティティが、ＵＥのＣ−ＲＮＴＩに宛てられたアップリンクグラント、または構成済みアップリンクグラントを有し、かつ、
−ａｐｅｒｉｏｄｉｃ  Ｃｈａｎｎｅｌ  Ｓｔａｔｅ  Ｉｎｆｏｒｍａｔｉｏｎ（ＣＳＩ）のＰｈｙｓｉｃａｌ  Ｕｐｌｉｎｋ  Ｓｈａｒｅｄ  Ｃｈａｎｎｅｌ（ＰＵＳＣＨ）送信要求がない、かつ、
−ＭＡＣ  ＰＤＵが生成される場合、ＭＡＣ  ＰＤＵがゼロＭｅｄｉａ  Ａｃｃｅｓｓ  Ｃｏｎｔｒｏｌ  Ｓｅｒｖｉｃｅ  Ｄａｔａ  Ｕｎｉｔ（ＭＡＣ  ＳＤＵ）を含む、かつ、
−ＭＡＣ  ＰＤＵがｐｅｒｉｏｄｉｃ  Ｂｕｆｆｅｒ  Ｓｔａｔｕｓ  Ｒｅｐｏｒｔ（ＢＳＲ）のみを含み（ＭＡＣ  ＰＤＵが生成される場合）、かつ、Ｌｏｇｉｃａｌ  Ｃｈａｎｎｅｌ  Ｇｒｏｕｐ（ＬＣＧ）が利用可能なデータがない、または、ＭＡＣ  ＰＤＵがｐａｄｄｉｎｇ  ＢＳＲのみを含む（ＭＡＣ  ＰＤＵが生成される場合）。
【００５８】
言い換えると、ＳＵＴＤフィールドが「ｔｒｕｅ」に設定されていると特定するおよび上記一連の条件が生じるときを特定することに応答して、ＵＥ１１０は、（たとえば、図２におけるＣＲＭ２１２の）ＵＥバッファが送信用データを含んでいる場合のみ、ＭＡＣ  ＰＤＵを生成して基地局１２０に送信する。
【００５９】
ＵＥ１１０のＭＡＣエンティティがＵＥ１１０のＣ−ＲＮＴＩに宛てられたアップリンクグラント、または構成済みアップリンクグラントを有し、ＵＥ１１０がＣＧのアップリンク送信スキップ機能を無効にするおよび／またはサポートしない場合、ＵＥ１１０のＭＡＣエンティティは、ＭＡＣ  ＰＤＵを生成する。ＵＥ１１０のＭＡＣエンティティは、ＭＡＣ  ＰＤＵを、アップリンクグラントまたは構成済みアップリンクグラントにおいて示される時間／周波数リソース（複数可）に含めて送信する。ＣＧを経由してｇＮＢに送信するデータをＵＥが有さない場合、ＭＡＣ  ＰＤＵは、ゼロＭｅｄｉａ  Ａｃｃｅｓｓ  Ｃｏｎｔｒｏｌ  Ｓｅｒｖｉｃｅ  Ｄａｔａ  Ｕｎｉｔ（ＭＡＣ  ＳＤＵ）を含み、ｐｅｒｉｏｄｉｃ  ＢＳＲまたはｐａｄｄｉｎｇ  ＢＳＲのみを含む。そうでない場合、ＵＥは、１つ以上のＭＡＣ  ＳＤＵを含む。
【００６０】
図５は、３ＧＰＰ規格のいずれの解釈（解釈１、２、または３）が適用されているかに関わらず、上述の問題に対するＵＥ制御のソリューションを提供する５Ｇ  ＮＲシステムにおけるアップリンク送信のシグナリングおよびトランザクションの図解５００を示す。実装形態では、図解５００は、ネットワーク（たとえば、ネットワーク１４０）において行われるトランザクションを示す。
【００６１】
図に示すように、５０５において、ＵＥ１１０は、ＲＲＣＳｅｔｕｐメッセージ、ＲＲＣＲｅｃｏｎｆｉｇｕｒａｔｉｏｎメッセージ、またはＲＲＣＲｅｓｕｍｅメッセージなど、第１のＲＲＣメッセージを基地局１２０（たとえば、ｇＮＢ基地局）から受信する。実装形態では、第１のＲＲＣメッセージは、ｃｅｌｌ  ｇｒｏｕｐ（ＣＧ）（たとえば、ｍａｓｔｅｒ  ＣＧ（ＭＣＧ）またはｓｅｃｏｎｄａｒｙ  ＣＧ（ＳＣＧ））の、ネットワーク設定のＳＵＴＤフィールドを含む。
【００６２】
実装形態では、第１のＲＲＣメッセージに収められているまたは含まれているＳＵＴＤフィールドの値に関わらず（たとえば、ＳＵＴＤフィールドが「ｔｒｕｅ」に設定されているか、「ｆａｌｓｅ」に設定されているかに関わらず）、ＵＥ１１０は、ユーザ機器設定のＳｋｉｐＵｐｌｉｎｋＴｘＤｙｎａｍｉｃ（ＵＥ設定のＳＵＴＤ）フィールドを５１０における構成で設定または構成する。ＵＥ設定のＳＵＴＤフィールドの値が「ｔｒｕｅ」である場合、ＵＥ１１０は、ＣＧのアップリンク送信スキップ機能を有効にする。この場合、一連の条件および／または特定の状況が生じた場合に、ＵＥ１１０のプログラミングは、アップリンク送信をスキップして上述したようなＭＡＣ  ＰＤＵを生成または基地局に送信することを控えるよう、ＵＥのＭＡＣエンティティに指示する。ＵＥ設定のＳＵＴＤフィールドの値が「ｆａｌｓｅ」に設定されている場合、ＵＥ１１０は、ＣＧのアップリンク送信スキップ機能を無効にするおよび／またはサポートしない。いずれの場合も、基地局１２０は、ＵＥ設定のＳＵＴＤフィールドの設定に従って認識し、動作する。たとえば、５１５において、「ｔｒｕｅ」に設定されていようと、「ｆａｌｓｅ」に設定されていようと、ＵＥ１１０は、ＵＥ設定のＳＵＴＤフィールドを第１のＲＲＣ完了メッセージ（たとえば、ＲＲＣＳｅｔｕｐＣｏｍｐｌｅｔｅメッセージ、ＲＲＣＲｅｃｏｎｆｉｇｕｒａｔｉｏｎＣｏｍｐｌｅｔｅメッセージ、またはＲＲＣＲｅｓｕｍｅＣｏｍｐｌｅｔｅメッセージ）に含めて基地局１２０に送信する。ＵＥ１１０および基地局１２０は、ＵＥ設定のＳＵＴＤフィールドに従って、（たとえば、有効にされたまたは無効にされた）それぞれのアップリンク送信スキップ機能を実施する。
【００６３】
アップリンク送信スキップ機能が有効にされる場合は常に、下記の一連の条件が生じる、および満たす場合、ＣＧと通信可能に連結されたＵＥ１１０のＭＡＣエンティティ（たとえば、図３におけるＭＡＣ層３０８）は、ＣＧのＭＡＣ  ＰＤＵを生成しないまたは送信しない（たとえば、生成することまたは送信することを控える）。
【００６４】
−ＭＡＣエンティティが、ＵＥのＣ−ＲＮＴＩに宛てられたアップリンクグラント、または構成済みアップリンクグラントを有し、かつ、
−ａｐｅｒｉｏｄｉｃ  Ｃｈａｎｎｅｌ  Ｓｔａｔｅ  Ｉｎｆｏｒｍａｔｉｏｎ（ＣＳＩ）のＰｈｙｓｉｃａｌ  Ｕｐｌｉｎｋ  Ｓｈａｒｅｄ  Ｃｈａｎｎｅｌ（ＰＵＳＣＨ）送信要求がない、かつ、
−ＭＡＣ  ＰＤＵがゼロＭＡＣ  ＳＤＵを含む（ＭＡＣ  ＰＤＵが生成される場合）、かつ、
−ＭＡＣ  ＰＤＵがｐｅｒｉｏｄｉｃ  Ｂｕｆｆｅｒ  Ｓｔａｔｕｓ  Ｒｅｐｏｒｔ（ＢＳＲ）のみを含み（ＭＡＣ  ＰＤＵが生成される場合）、かつ、Ｌｏｇｉｃａｌ  Ｃｈａｎｎｅｌ  Ｇｒｏｕｐ（ＬＣＧ）が利用可能なデータがない、または、ＭＡＣ  ＰＤＵがｐａｄｄｉｎｇ  ＢＳＲのみを含む（ＭＡＣ  ＰＤＵが生成される場合）。
【００６５】
言い換えると、ＳＵＴＤフィールドが「ｔｒｕｅ」に設定されていると特定するおよび上記一連の条件が生じるときを特定することに応答して、ＵＥ１１０は、（たとえば、図２におけるＣＲＭ２１２の）ＵＥバッファが送信用データを含んでいる場合のみ、ＭＡＣ  ＰＤＵを生成して基地局１２０に送信する。これによって、詳細を上述したような、誤った再送要求を防止する。説明すると、一連の条件が生じた場合、基地局１２０は、送信を想定しない。様々な実施の形態において、ＵＥ設定のＳＵＴＤフィールドの値がネットワーク設定のＳＵＴＤフィールドとは異なる場合、先行するネットワーク設定のＳＵＴＤフィールドよりもＵＥ設定のＳＵＴＤフィールドが優先され、ＵＥ１１０および基地局１２０におけるそれぞれのアップリンク送信スキップ機能の構成を制御する。
【００６６】
ＵＥ１１０がＣＧのアップリンク送信スキップ機能を無効にするおよび／またはサポートしない（たとえば、ＳＵＴＤフィールドが「ｆａｌｓｅ」に設定されている）場合、ＵＥ１１０のＭＡＣエンティティ（たとえば、図３におけるＭＡＣ層３０８）は、ＵＥ１１０のＣ−ＲＮＴＩに宛てられたアップリンクグラント、または構成済みアップリンクグラントを有する場合、ＭＡＣ  ＰＤＵを生成する。ＭＡＣエンティティは、ＭＡＣ  ＰＤＵを、アップリンクグラントまたは構成済みアップリンクグラントにおいて示される時間／周波数リソース（複数可）に含めて送信する。ＭＡＣ  ＰＤＵは、ゼロＭＡＣ  ＳＤＵ、１つのＭＡＣ  ＳＤＵ、または２つ以上のＭＡＣ  ＳＤＵを含んでもよい。ＭＡＣ  ＰＤＵは、ｐｅｒｉｏｄｉｃ  ＢＳＲまたはｐａｄｄｉｎｇ  ＢＳＲのみを含んでもよい。
【００６７】
図６は、上述した問題３に対するＵＥ制御のソリューションを提供するアップリンク送信のシグナリングおよび制御のトランザクションの図解６００を示す。実装形態では、図解６００は、ネットワーク（たとえば、ネットワーク１４０）において行われるトランザクションを示す。
【００６８】
図に示すように、６０５において、ＵＥ１１０は、アップリンク送信スキップ機能をサポートしない。６１０において、ＵＥ１１０は、基地局１２０（たとえば、ｇＮＢ基地局）から第１のＲＲＣメッセージを受信する。ここで、第１のＲＲＣメッセージは、ＣＧ（Ｃｅｌｌ  Ｇｒｏｕｐ）（たとえば、ＭＣＧまたはＳＣＧ）のＳＵＴＤフィールドを含む。６１５において、ＵＥ１１０は、ＳＵＴＤフィールドが有効な構成であると判断する。ＵＥ１１０は、ＳＵＴＤ機能をサポートしないことを理由にアップリンク送信スキップ機能を実施しないまたは有効にしないが、ＳＵＴＤフィールドが有効であると判断する場合がある。すなわち、その後、ＵＥ１１０は、ＵＥ１１０のＣ−ＲＮＴＩから宛てられたアップリンクグラントに示されるアップリンク送信または構成済みアップリンクグラントに示されるアップリンク送信のいずれもスキップしない。より特定的には、６１５において、ＵＥ１１０は、アップリンク送信スキップ機能をサポートしないが、第１のＲＲＣメッセージを有効なＲＲＣメッセージとして判断する。この判断に応答して、６２０において、ＵＥ１１０は、第１のＲＲＣ完了メッセージを基地局に送信する。１つ以上の実装形態では、ＵＥ１１０は、第１のＲＲＣ完了メッセージにＳＵＴＤステータス表示を含める。その後、基地局１２０は、「有効」なＳＵＴＤステータス表示に従って、アップリンク送信スキップ機能ステータスを「有効」と認識する。
【００６９】
別の実装形態では、ＵＥ１１０は、第１のＲＲＣ完了メッセージにＳＵＴＤステータス表示を含めない。前述したようなアップリンク送信をスキップするための条件が満たされる場合、ＵＥ１１０は、アップリンク送信をスキップしないで、ＭＡＣ  ＰＤＵを基地局１２０に送信する。基地局１２０がＭＡＣ  ＰＤＵを受信した場合、ＭＡＣ  ＰＤＵがＭＡＣ  ＳＤＵを含まない場合、基地局１２０は、ＵＥ１１０がアップリンク送信スキップ機能をサポートしないと検出する場合がある。いずれの実装形態でも、この判断に従って、ＵＥ１１０は、ＲＲＣ接続再確立プロシージャもＳＣＧ障害情報プロシージャも開始しない。これによって、上述したような、誤った再送要求という問題を防止する。なぜならば、いずれのＳＵＴＤ機能も有効ではないのでＵＥが送信をスキップしないからである。
【００７０】
いくつかの実装形態では、ＳＵＴＤフィールドの値（たとえば、「ｔｒｕｅ」または「ｆａｌｓｅ」）に関わらず（たとえば、ＳＵＴＤフィールドが「ｔｒｕｅ」に設定されているか、「ｆａｌｓｅ」に設定されているかに関わらず）、ＵＥ１１０は、ＳＵＴＤフィールドを有効な構成として認識する。ＳＵＴＤフィールドを有効な構成として認識することに応答して、ＵＥ１１０は、対応するＳＵＴＤステータス表示を送る。その他の実装形態では、ＳＵＴＤが「ｆａｌｓｅ」に設定されている場合、ＵＥ１１０は、ＳＵＴＤフィールドを有効な構成として認識し、「ｔｒｕｅ」に設定されている場合、無効な構成として認識し、対応するＳＵＴＤステータス表示を基地局１２０に送信する。基地局１２０がＭＣＧに対応し、ＭＣＧのＳＵＴＤフィールドが「ｔｒｕｅ」に設定されているシナリオでは、ＵＥ１１０は、ＲＲＣ接続再確立プロシージャを開始し得る。代替的または追加的に、基地局１２０がＳＣＧに対応し、ＳＣＧのＳＵＴＤフィールドが「ｔｒｕｅ」に設定されているシナリオでは、ＵＥ１１０は、ＳＣＧ障害情報プロシージャを開始し得る。
【００７１】
いくつかの実装形態では、６０５において送信された第１のＲＲＣメッセージは、ＳＵＴＤフィールド以外の構成を無効な構成として含む。これらの状況では、６２０において、ＵＥ１１０は、「無効」なステータス表示を含むＲＲＣ完了メッセージを基地局１２０に送信する。この構成がＭＣＧのための構成であり、かつ、ＵＥ１１０がＳＵＴＤフィールド以外の構成を無効な構成として判断した場合、ＵＥ１１０は、ＲＲＣ接続再確立プロシージャを開始し得る。この構成がＳＣＧのための構成であり、かつ、ＵＥ１１０がＳＵＴＤフィールド以外の構成を無効な構成として判断した場合、ＵＥは、ＳＣＧ障害情報プロシージャを開始し得る。
【００７２】
ＲＲＣ接続再確立プロシージャを開始すると、ＵＥ１１０は、ネットワークを介して基地局１２０および／または別の基地局にＲＲＣ再確立要求メッセージを送信する。ＳＣＧ障害情報プロシージャを開始すると、ＵＥは、別のｇＮＢ、ｅＮＢ、またはｎｇ−ｅＮＢなど、別の基地局にＳＣＧ  Ｆａｉｌｕｒｅ  Ｉｎｆｏｒｍａｔｉｏｎメッセージを送信する。
【００７３】
図７は、ＵＥによって定められているかｇＮＢによって定められているかに関わらず、本開示に係る、５Ｇ  ＮＲシステムにおいてアップリンク送信を処理するための例示的な方法７００における論理ステップを例示するフローチャートを示す。図示した方法では、最初の考慮すべき事項７０２は、ＳＵＴＤがＵＥによって設定されるか、ｇＮＢによって設定されるかどうかである。ＳＵＴＤフィールドがｇＮＢによって設定される場合、ステップ７０４において、上述した判断基準に従ってｇＮＢがＳＵＴＤフィールドを設定したあと、７０６において、第１のＲＲＣメッセージを送信する。この手法において、ＵＥは、７０８において示すように、第１のＲＲＣメッセージに含まれるＳＵＴＤフィールドに従ってＳＵＴＤ機能を実施（たとえば、有効にまたは無効に）し、７２０において示すように、第１のＲＲＣ完了メッセージをＵＥがｇＮＢに返信することになる。
【００７４】
あるいは、ＳＵＴＤフィールドがＵＥによって設定されるまたは設定され得る場合、７１０に示すように、最初の問いは、ＵＥがＳＵＴＤ機能をサポートするかどうかである。サポートしない場合、ＵＥは、７１２に示すように、ｇＮＢから第１のＲＲＣメッセージを受信し、ステップ７１４において、上述した判断基準に従ってＳＵＴＤフィールドが「有効」であると判断する。次に、７２０に示すように、ＵＥは、「有効」なＳＵＴＤステータス表示を含んだ第１のＲＲＣ完了メッセージをｇＮＢに返送する。あるいは、第１のＲＲＣメッセージがＳＵＴＤフィールドを含まないまたはその他の構成を含む場合、ＲＲＣ完了メッセージは、「無効」なＳＵＴＤステータス表示を含み得る。
【００７５】
一方、ＳＵＴＤフィールドがＵＥによって設定され、かつ、７１０に示すようにＵＥがＳＵＴＤ機能をサポートする場合、ＵＥは、７１６に示すように、ｇＮＢから第１のＲＲＣメッセージを受信し、その後、７１８に示すように、図５で上述した判断基準に従ってＳＵＴＤフィールドを設定する。次に、ＵＥは、７２０に示すように、ＵＥによって設定されたＳＵＴＤの値を含んだ第１のＲＲＣ完了メッセージをｇＮＢに返信する。
【００７６】
変形例
上述した例、態様、および実装形態に代えて、またはそれらに加えて、５Ｇ  ＮＲシステムにおけるアップリンク送信のための方法は、変形例を含んでもよい。
【００７７】
一変形例では、ワイヤレスに接続されたＵＥとｇＮＢとの間のＵＥ制御のアップリンク送信スキップ機能は、ＵＥがアップリンク送信スキップ機能を採用するかどうかを定めるＳＵＴＤフィールドを含んだ第１のＲＲＣメッセージをＵＥがｇＮＢから受信し、ＳＵＴＤステータス表示を含んだＲＲＣ完了メッセージをＵＥがｇＮＢに送信し、ＳＵＴＤフィールドに従ってアップリンク送信スキップ機能をＵＥが実装することによって設定される。さらには、ＵＥは、ＭＡＣ  ＰＤＵを生成することまたはｇＮＢ基地局に送信することを控えることによってアップリンク送信スキップ機能を設定してもよい。この控えることは、いくつかの下位の変形例では、下記のうちの１つ、２つ、３つ、またはすべてが生じた時に行われる。（１）ｇＮＢ基地局からＵＥへの送信グラントが、Ｃ−ＲＮＴＩに宛てられている、もしくは構成済みアップリンクグラントである、またはＳＵＴＤフィールドが「ｔｒｕｅ」に設定されており、送信グラントがＣ−ＲＮＴＩに宛てられている。（２）ａｐｅｒｉｏｄｉｃ  ＣＳＩリポートの送信要求がない。（３）ＭＡＣ  ＰＤＵがＭＡＣ  ＳＤＵを含まない。または、（４）ＭＡＣ  ＰＤＵがｐｅｒｉｏｄｉｃ  Ｂｕｆｆｅｒ  Ｓｔａｔｕｓ  Ｒｅｐｏｒｔ（ＢＳＲ）のみを含み、かつ、Ｌｏｇｉｃａｌ  Ｃｈａｎｎｅｌ  Ｇｒｏｕｐ（ＬＣＧ）が利用可能なデータがない、または、ＭＡＣ  ＰＤＵがＰａｄｄｉｎｇ  ＢＳＲのみを含む。
【００７８】
方法例
５Ｇ  ＮＲシステムにおいてアップリンク送信を処理する１つ以上の態様に係る、例示的な方法８００および９００を図８および図９を参照して説明する。方法ブロックが記載されている順序は、限定として解釈されることは意図されておらず、任意の数の記載の方法ブロックを省略するまたは任意の順序に組合せて、方法または別の方法を実施することができる。一般に、本明細書に記載の構成要素、モジュール、方法、および動作のいずれも、ソフトウェア、ファームウェア、ハードウェア（たとえば、固定論理回路）、手動処理、または、それらの任意の組合せを用いて実現することができる。例示的な方法のうちのいくつかの動作は、コンピュータ処理システムにローカルおよび／またはリモートなコンピュータ読み取り可能なストレージメモリ上に格納された実行可能な命令の一般的な文脈で説明されてもよく、実装形態は、ソフトウェアアプリケーション、プログラム、機能などを含み得る。代替的にまたは追加的に、本明細書に記載の機能のいずれも、少なくとも一部は、ＦＰＧＡ（Ｆｉｅｌｄ−ｐｒｏｇｒａｍｍａｂｌｅ  Ｇａｔｅ  Ａｒｒａｙ）、特定用途向け集積回路（ＡＳＩＣ）、ＡＳＳＰ（Ａｐｐｌｉｃａｔｉｏｎ−ｓｐｅｃｉｆｉｃ  Ｓｔａｎｄａｒｄ  Ｐｒｏｄｕｃｔ）、ＳｏＣ（Ｓｙｓｔｅｍ−ｏｎ−ａ−ｃｈｉｐ  ｓｙｓｔｅｍ）、ＣＰＬＤ（Ｃｏｍｐｌｅｘ  Ｐｒｏｇｒａｍｍａｂｌｅ  Ｌｏｇｉｃ  Ｄｅｖｉｃｅ）など、１つ以上のハードウェアロジックコンポーネントによって実行することができるが、これらに限定されない。
【００７９】
図８は、５Ｇ  ＮＲシステムにおいてアップリンク送信を処理するための例示的な方法８００を示す。いくつかの実装形態では、方法８００の動作は、図１のＵＥ１１０など、ユーザ機器によって実行される。
【００８０】
８０５において、ＵＥは、アップリンク送信スキップ機能の第１構成を示すネットワーク設定のＳｋｉｐＵｐｌｉｎｋＴｘＤｙｎａｍｉｃ（ネットワーク設定のＳＵＴＤ）フィールドを含んだ第１の無線リソース制御メッセージ（ＲＲＣメッセージ）を受信する。たとえば、ＵＥ（たとえば、ＵＥ１１０）は、図５の５０５において説明したＲＲＣＳｅｔｕｐメッセージ、ＲＲＣＲｅｃｏｎｆｉｇｕｒａｔｉｏｎメッセージ、またはＲＲＣＲｅｓｕｍｅメッセージなど、第１のＲＲＣメッセージを図１の基地局１２０から受信する。実装形態では、ＲＲＣＳｅｔｕｐメッセージ、ＲＲＣＲｅｃｏｎｆｉｇｕｒａｔｉｏｎメッセージ、またはＲＲＣＲｅｓｕｍｅメッセージは、ネットワーク設定のＳＵＴＤフィールドを含む。
【００８１】
８１０において、ＵＥは、アップリンク送信スキップ機能の第２構成を決定する。たとえば、図５の５１０において説明したように、ＵＥ（たとえば、ＵＥ１１０）は、ネットワーク設定のＳＵＴＤフィールドが示す第１構成に関わらず、第２構成を決定する。よって、第２構成は、第１構成と同じであり得るし、または第１構成とは異なり得る。
【００８２】
８１５において、ＵＥは、第２構成を示すようにユーザ機器設定のＳｋｉｐＵｐｌｉｎｋＴｘＤｙｎａｍｉｃ（ＵＥ設定のＳＵＴＤ）フィールドを構成する。たとえば、ＵＥ（たとえば、ＵＥ１１０）は、ＵＥ設定のＳＵＴＤフィールドを「ｔｒｕｅ」に設定してアップリンク送信スキップ機能を有効にする、または「ｆａｌｓｅ」に設定してアップリンク送信スキップ機能を無効にする。実装形態では、ＵＥは、無線リソース制御（ＲＲＣ）完了メッセージに含まれるＵＥ設定のＳＵＴＤフィールドを構成する。
【００８３】
８２０において、ＵＥは、ＵＥ設定のＳＵＴＤフィールドを含む無線リソース制御完了メッセージ（ＲＲＣ完了メッセージ）を送信して、ネットワーク設定のＳＵＴＤフィールドよりも優先させる。たとえば、図５の５１５において説明したように、ＵＥ（たとえば、ＵＥ１１０）は、ＲＲＣＳｅｔｕｐＣｏｍｐｌｅｔｅメッセージ、ＲＲＣＲｅｃｏｎｆｉｇｕｒａｔｉｏｎＣｏｍｐｌｅｔｅメッセージ、またはＲＲＣＲｅｓｕｍｅＣｏｍｐｌｅｔｅメッセージなど、ＲＲＣ完了メッセージを図１の基地局１２０に送信する。実装形態では、ＲＲＣ完了メッセージは、８１５において構成されたＵＥ設定のＳＵＴＤフィールドを含む。
【００８４】
８２５において、ＵＥは、アップリンク送信スキップ機能の第２構成を用いてアップリンク送信を処理する。たとえば、基地局に送信されるデータをユーザ機器メモリバッファが含んでおり、かつ、ＵＥ設定のＳＵＴＤがｔｒｕｅに設定されている場合にのみ、ＵＥ（たとえば、ＵＥ１１０）は、Ｍｅｄｉａ  Ａｃｃｅｓｓ  Ｃｏｎｔｒｏｌ  Ｐｒｏｔｏｃｏｌ  Ｄａｔａ  Ｕｎｉｔ（ＭＡＣ  ＰＤＵ）を生成して基地局１２０に送信する。代替的または追加的に、ＵＥ設定のＳＵＴＤがｔｒｕｅに設定されている場合、一連の条件が生じた場合、ＵＥ１１０は、Ｍｅｄｉａ  Ａｃｃｅｓｓ  Ｃｏｎｔｒｏｌ  Ｐｒｏｔｏｃｏｌ  Ｄａｔａ  Ｕｎｉｔを生成して基地局１２０に送信することを控える。たとえば、いくつかの実装形態では、一連の条件の発生は、以下に相当する。（１）送信グラントがユーザ機器のＣｅｌｌ  Ｒａｄｉｏ  Ｎｅｔｗｏｒｋ  Ｔｅｍｐｏｒａｒｙ  Ｉｄｅｎｔｉｆｉｅｒ（Ｃ  ＲＮＴＩ）に宛てられている、または構成済みアップリンクグラントである。（２）ａｐｅｒｉｏｄｉｃ  Ｃｈａｎｎｅｌ  Ｓｔａｔｅ  Ｉｎｆｏｒｍａｔｉｏｎ（ＣＳＩ）リポートの特定の物理上りリンク共有チャネル送信要求がない。（３）Ｍｅｄｉａ  Ａｃｃｅｓｓ  Ｃｏｎｔｒｏｌ  Ｐｒｏｔｏｃｏｌ  Ｄａｔａ  ＵｎｉｔがゼロＭｅｄｉａ  Ａｃｃｅｓｓ  Ｃｏｎｔｒｏｌ  Ｓｅｒｖｉｃｅ  Ｄａｔａ  Ｕｎｉｔ（ＭＡＣ  ＳＤＵ）を含む。（４）Ｍｅｄｉａ  Ａｃｃｅｓｓ  Ｃｏｎｔｒｏｌ  Ｐｒｏｔｏｃｏｌ  Ｄａｔａ  Ｕｎｉｔがｐｅｒｉｏｄｉｃ  Ｂｕｆｆｅｒ  Ｓｔａｔｕｓ  Ｒｅｐｏｒｔ（ＢＳＲ）のみを含み、かつ、Ｌｏｇｉｃａｌ  Ｃｈａｎｎｅｌ  Ｇｒｏｕｐ（ＬＣＧ）が利用可能なデータがない、または、Ｍｅｄｉａ  Ａｃｃｅｓｓ  Ｃｏｎｔｒｏｌ  Ｐｒｏｔｏｃｏｌ  Ｄａｔａ  Ｕｎｉｔがｐａｄｄｉｎｇ  Ｂｕｆｆｅｒ  Ｓｔａｔｕｓ  Ｒｅｐｏｒｔ（ＢＳＲ）のみを含む。実装形態では、送信グラントまたは構成済みアップリンクグラントが、ハイブリッド自動再送要求（ＨＡＲＱ）に示される。
【００８５】
実装形態では、ＵＥ設定のＳＵＴＤがｆａｌｓｅに設定されている場合、ＵＥ（たとえば、ＵＥ１１０）は、アップリンク送信スキップ機能を無効にするおよび／またはサポートしないことによって、第２構成に基づいてアップリンク送信を処理する。代替的または追加的に、ＵＥ設定のＳＵＴＤがｆａｌｓｅに設定されている場合、アップリンク送信スキップ機能は無効にされており、および／またはＵＥがアップリンク送信スキップ機能をサポートせず、ユーザ機器のＣｅｌｌ  Ｒａｄｉｏ  Ｎｅｔｗｏｒｋ  Ｔｅｍｐｏｒａｒｙ  Ｉｄｅｎｔｉｆｉｅｒ（Ｃ−ＲＮＴＩ）に宛てられた送信グラントを受信すること、または構成済みアップリンクグラントを受信することに応答して、ＵＥは、Ｍｅｄｉａ  Ａｃｃｅｓｓ  Ｃｏｎｔｒｏｌ  Ｐｒｏｔｏｃｏｌ  Ｄａｔａ  Ｕｎｉｔ（ＭＡＣ  ＰＤＵ）を生成する。また、ＵＥは、ＭＡＣ  ＰＤＵを、送信グラントまたは構成済みアップリンクグラントにおいて示されている時間／周波数リソースに含めて送信する。実装形態では、ＭＡＣ  ＰＤＵは、１つ以上のＭｅｄｉａ  Ａｃｃｅｓｓ  Ｃｏｎｔｒｏｌ  Ｓｅｒｖｉｃｅ  Ｄａｔａ  Ｕｎｉｔ（ＭＡＣ  ＳＤＵ）を含む。いくつかの実装形態では、ＭＡＣ  ＰＤＵは、周期的（ｐｅｒｉｏｄｉｃ）バッファステータスリポートまたはパディング（ｐａｄｄｉｎｇ）バッファステータスリポートのみを含む。ＵＥ設定のＳＵＴＤがｔｒｕｅに設定されているシナリオと同様に、送信グラントまたは構成済みアップリンクグラントは、ハイブリッド自動再送要求（ＨＡＲＱ）に示される。
【００８６】
図９は、５Ｇ  ＮＲシステムにおいてアップリンク送信を処理するための例示的な方法９００を示す。いくつかの実装形態では、方法９００の動作は、図１の基地局１２０のいずれか１つなど、基地局によって実行される。
【００８７】
９０５において、基地局は、アップリンク送信スキップ機能の第１構成を示すネットワーク設定のＳｋｉｐＵｐｌｉｎｋＴｘＤｙｎａｍｉｃ（ネットワーク設定のＳＵＴＤ）フィールドを含む第１の無線リソース制御メッセージをユーザ機器に送信する。たとえば、基地局（たとえば、基地局１２０、ｇＮＢ基地局）は、図５の５０５において説明したような、ＲＲＣＳｅｔｕｐメッセージ、ＲＲＣＲｅｃｏｎｆｉｇｕｒａｔｉｏｎメッセージ、またはＲＲＣＲｅｓｕｍｅメッセージをＵＥ（たとえば、ＵＥ１１０）に送信する。実装形態では、ＲＲＣＳｅｔｕｐメッセージ、ＲＲＣＲｅｃｏｎｆｉｇｕｒａｔｉｏｎメッセージ、またはＲＲＣＲｅｓｕｍｅメッセージは、ネットワーク設定のＳＵＴＤフィールドを含む。ここで、基地局がネットワーク設定のＳＵＴＤフィールドをｆａｌｓｅまたはｔｒｕｅに設定している。
【００８８】
９１０において、基地局は、アップリンク送信スキップ機能の第２構成を指定するユーザ機器設定のＳｋｉｐＵｐｌｉｎｋＴｘＤｙｎａｍｉｃ（ＵＥ設定のＳＵＴＤ）フィールドの表示を含んだ無線リソース完了メッセージをユーザ機器から受信する。たとえば、基地局（たとえば、基地局１２０、ｇＮＢ基地局）は、図５の５１５において説明したような、ＲＲＣＳｅｔｕｐＣｏｍｐｌｅｔｅメッセージ、ＲＲＣＲｅｃｏｎｆｉｇｕｒａｔｉｏｎＣｏｍｐｌｅｔｅメッセージ、またはＲＲＣＲｅｓｕｍｅＣｏｍｐｌｅｔｅメッセージをＵＥ（たとえば、ＵＥ１１０）から受信する。実装形態では、ＲＲＣＳｅｔｕｐＣｏｍｐｌｅｔｅメッセージ、ＲＲＣＲｅｃｏｎｆｉｇｕｒａｔｉｏｎＣｏｍｐｌｅｔｅメッセージ、またはＲＲＣＲｅｓｕｍｅＣｏｍｐｌｅｔｅメッセージは、ＵＥ設定のＳＵＴＤを含む。
【００８９】
９１５において、基地局は、アップリンク送信スキップ機能の第２構成の利用に基づいてユーザ機器と情報を交換する。説明すると、基地局（たとえば、基地局１２０、ｇＮＢ基地局）は、ＵＥ設定のＳＵＴＤが示す第２構成を用いてアップリンク送信スキップ機能を構成することに基づいて情報を交換する。いくつかの実装形態では、ネットワーク設定のＳＵＴＤフィールドが示す第１構成は、ＵＥ設定のＳＵＴＤフィールドが示す第２構成とは異なる。よって、基地局は、情報の交換に用いられるアップリンク送信スキップ機能の構成を定めるために第１構成よりも第２構成を優先することによって、アップリンク送信スキップ機能の第２構成の利用に基づいて情報を交換する。
【００９０】
情報を交換することは、時には、ＵＥ設定のＳＵＴＤがアップリンク送信スキップ機能を有効にするシナリオなどにおいて、基地局からのハイブリッド自動再送要求に対する、少なくとも１つのＭｅｄｉａ  Ａｃｃｅｓｓ  Ｃｏｎｔｒｏｌ  Ｐｒｏｔｏｃｏｌ  Ｄａｔａ  Ｕｎｉｔ（ＭＡＣ  ＰＤＵ）のアップリンク送信のスキップを基地局（たとえば、基地局１２０、ｇＮＢ基地局）が想定することを含み得る。代替的または追加的に、想定されるアップリンク送信のスキップに応答して、情報を交換することは、基地局が再送要求をユーザ機器に送信することを控えることを含む。
【００９１】
５Ｇ  ＮＲシステムにおいてアップリンク送信を処理するための態様を特定の特徴および／または方法に特有の言語で説明したが、請求の範囲の主題は、上述の具体的な特徴または方法によって必ずしも限定されるわけではない。むしろ、具体的な特徴および方法は、方法の例示的な実装形態として開示されており、その他の同等の特徴および方法は、添付の特許請求の範囲に含まれる。さらには、様々な異なる態様を説明する。当然のことながら、説明する態様の各々は、単独で実装されてもよく、１つ以上のその他の記載の態様と関連付けて実装されてもよい。
【００９２】
下記に、いくつかの例を説明する。
例１：ユーザ機器と基地局との間でアップリンク送信スキップ機能を構成するための方法であって、アップリンク送信スキップ機能の第１構成を示すネットワーク設定のＳｋｉｐＵｐｌｉｎｋＴｘＤｙｎａｍｉｃフィールドを含む第１の無線リソース制御メッセージを基地局から受信するステップと、アップリンク送信スキップ機能の第２構成を示すユーザ機器設定のＳｋｉｐＵｐｌｉｎｋＴｘＤｙｎａｍｉｃフィールドをユーザ機器において決定するステップと、ユーザ機器設定のＳｋｉｐＵｐｌｉｎｋＴｘＤｙｎａｍｉｃフィールドの表示を含む無線リソース完了メッセージ基地局に送信してネットワーク設定のＳｋｉｐＵｐｌｉｎｋＴｘＤｙｎａｍｉｃフィールドよりも優先させるステップと、アップリンク送信スキップ機能の第２構成を用いてアップリンク送信をユーザ機器において処理するステップとを含む、方法。
【００９３】
例２：ユーザ機器設定のＳｋｉｐＵｐｌｉｎｋＴｘＤｙｎａｍｉｃフィールドは、ｔｒｕｅに設定されており、アップリンク送信スキップ機能の第２構成を用いてアップリンク送信を処理するステップは、ユーザ機器メモリバッファが基地局に送信されるデータを含む場合のみ、ユーザ機器設定のＳｋｉｐＵｐｌｉｎｋＴｘＤｙｎａｍｉｃフィールドがｔｒｕｅに設定されていることに基づいてＭｅｄｉａ  Ａｃｃｅｓｓ  Ｃｏｎｔｒｏｌ  Ｐｒｏｔｏｃｏｌ  Ｄａｔａ  Ｕｎｉｔ（ＭＡＣ  ＰＤＵ）を生成して基地局に送信するステップを含む、例１に記載の方法。
【００９４】
例３：ユーザ機器設定のＳｋｉｐＵｐｌｉｎｋＴｘＤｙｎａｍｉｃフィールドはｔｒｕｅに設定されており、アップリンク送信スキップ機能の第２構成を用いてアップリンク送信を処理するステップは、送信グラントが、ユーザ機器のＣ−ＲＮＴＩ（Ｃｅｌｌ  Ｒａｄｉｏ  Ｎｅｔｗｏｒｋ  Ｔｅｍｐｏｒａｒｙ  Ｉｄｅｎｔｉｆｉｅｒ）に宛てられている、または構成済みアップリンクグラントであり、ａｐｅｒｉｏｄｉｃ  ＣＳＩ（Ｃｈａｎｎｅｌ  Ｓｔａｔｅ  Ｉｎｆｏｒｍａｔｉｏｎ）リポートの特定の物理上りリンク共有チャネル送信要求がなく、Ｍｅｄｉａ  Ａｃｃｅｓｓ  Ｃｏｎｔｒｏｌ  Ｐｒｏｔｏｃｏｌ  Ｄａｔａ  ＵｎｉｔがゼロＭｅｄｉａ  Ａｃｃｅｓｓ  Ｃｏｎｔｒｏｌ  Ｓｅｒｖｉｃｅ  Ｄａｔａ  Ｕｎｉｔ（ＭＡＣ  ＳＤＵ）を含み、Ｍｅｄｉａ  Ａｃｃｅｓｓ  Ｃｏｎｔｒｏｌ  Ｐｒｏｔｏｃｏｌ  Ｄａｔａ  Ｕｎｉｔが周期的バッファステータスリポート（ＢＳＲ）のみを含み、かつ、任意のＬＣＧ（Ｌｏｇｉｃａｌ  Ｃｈａｎｎｅｌ  Ｇｒｏｕｐ）が利用可能なデータがない、または、Ｍｅｄｉａ  Ａｃｃｅｓｓ  Ｃｏｎｔｒｏｌ  Ｐｒｏｔｏｃｏｌ  Ｄａｔａ  Ｕｎｉｔがパティングバッファステータスリポートのみを含む場合、ユーザ機器設定のＳｋｉｐＵｐｌｉｎｋＴｘＤｙｎａｍｉｃフィールドがｔｒｕｅに設定されていることに基づいて、Ｍｅｄｉａ  Ａｃｃｅｓｓ  Ｃｏｎｔｒｏｌ  Ｐｒｏｔｏｃｏｌ  Ｄａｔａ  Ｕｎｉｔを生成して基地局に送信することを控えるステップを含む、例１または例２に記載の方法。
【００９５】
例４：送信グラントまたは構成済みアップリンクグラントは、ハイブリッド自動再送要求エンティティ（ＨＡＲＱエンティティ）に対して示されている、例３に記載の方法。
【００９６】
例５：ユーザ機器設定のＳｋｉｐＵｐｌｉｎｋＴｘＤｙｎａｍｉｃフィールドは、ｆａｌｓｅに設定されており、アップリンク送信スキップ機能の第２構成を用いてアップリンク送信を処理するステップは、アップリンク送信スキップ機能をサポートしないステップを含む、例１に記載の方法。
【００９７】
例６：アップリンク送信スキップ機能をサポートしないステップは、ユーザ機器のＣｅｌｌ  Ｒａｄｉｏ  Ｎｅｔｗｏｒｋ  Ｔｅｍｐｏｒａｒｙ  Ｉｄｅｎｔｉｆｉｅｒ（Ｃ−ＲＮＴＩ）に宛てられた送信グラントを受信するまたは構成済みアップリンクグラントを受信することに応答してＭｅｄｉａ  Ａｃｃｅｓｓ  Ｃｏｎｔｒｏｌ  Ｐｒｏｔｏｃｏｌ  Ｄａｔａ  Ｕｎｉｔ（ＭＡＣ  ＰＤＵ）を生成するステップと、Ｍｅｄｉａ  Ａｃｃｅｓｓ  Ｃｏｎｔｒｏｌ  Ｐｒｏｔｏｃｏｌ  Ｄａｔａ  Ｕｎｉｔを、送信グラントまたは構成済みアップリンクグラントにおいて示される時間／周波数リソースに含めて送信するステップとを含む、例５に記載の方法。
【００９８】
例７：Ｍｅｄｉａ  Ａｃｃｅｓｓ  Ｃｏｎｔｒｏｌ  Ｐｒｏｔｏｃｏｌ  Ｄａｔａ  Ｕｎｉｔは、１つ以上のＭｅｄｉａ  Ａｃｃｅｓｓ  Ｃｏｎｔｒｏｌ  Ｓｅｒｖｉｃｅ  Ｄａｔａ  Ｕｎｉｔ（ＭＡＣ  ＳＤＵ）を含む、例６に記載の方法。
【００９９】
例８：Ｍｅｄｉａ  Ａｃｃｅｓｓ  Ｃｏｎｔｒｏｌ  Ｐｒｏｔｏｃｏｌ  Ｄａｔａ  Ｕｎｉｔは、周期的バッファステータスリポートまたはパティングバッファステータスリポートのみを含む、例６に記載の方法。
【０１００】
例９：送信グラントまたは構成済みアップリンクグラントは、ユーザ機器のハイブリッド自動再送要求エンティティ（ＨＡＲＱエンティティ）に対して示されている、例６〜８のいずれか１つに記載の方法。
【０１０１】
例１０：ユーザ機器と基地局との間のアップリンク送信のための方法であって、アップリンク送信スキップ機能の第１構成を示すネットワーク設定のＳｋｉｐＵｐｌｉｎｋＴｘＤｙｎａｍｉｃフィールドを含む第１の無線リソース制御メッセージをユーザ機器に送信するステップと、アップリンク送信スキップ機能の第２構成を指定するユーザ機器設定のＳｋｉｐＵｐｌｉｎｋＴｘＤｙｎａｍｉｃフィールドの表示を含む無線リソース完了メッセージをユーザ機器から受信するステップと、アップリンク送信スキップ機能の第２構成を用いることに基づいてユーザ機器と情報を交換するステップとを含む、方法。
【０１０２】
例１１：アップリンク送信スキップ機能の第２構成は、アップリンク送信スキップ機能を有効にし、ユーザ機器と情報を交換するステップは、ハイブリッド自動再送要求に対する、少なくとも１つのＭｅｄｉａ  Ａｃｃｅｓｓ  Ｃｏｎｔｒｏｌ  Ｐｒｏｔｏｃｏｌ  Ｄａｔａ  Ｕｎｉｔのアップリンク送信のスキップを想定することを含む、例１０に記載の方法。
【０１０３】
例１２：第２構成を用いることに基づいてユーザ機器と情報を交換するステップは、想定されたアップリンク送信スキップに応答して、再送要求をユーザ機器に送信することを控えるステップを含む、例１１に記載の方法。
【０１０４】
例１３：ネットワーク設定のＳｋｉｐＵｐｌｉｎｋＴｘＤｙｎａｍｉｃフィールドが示す第１構成は、ユーザ機器設定のＳｋｉｐＵｐｌｉｎｋＴｘＤｙｎａｍｉｃフィールドが示す第２構成とは異なり、アップリンク送信スキップ機能の第２構成を用いることに基づいてユーザ機器と情報を交換するステップは、情報を交換するステップに用いられるアップリンク送信スキップ機能を定めるために第１構成よりも第２構成を優先するステップを含む、例１０〜１２のいずれか１つに記載の方法。
【０１０５】
例１４：ユーザ機器装置であって、少なくとも１つのワイヤレストランシーバと、プロセッサと、プロセッサによる実行に応じて少なくとも１つのワイヤレストランシーバを用いて例１〜９に記載の方法のうちのいずれか１つを実行するようユーザ機器装置に指示するための命令を含んだコンピュータ読み取り可能な記憶媒体とを備える、ユーザ機器装置。
【０１０６】
例１５：基地局装置であって、少なくとも１つのワイヤレストランシーバと、プロセッサと、プロセッサによる実行に応じて少なくとも１つのワイヤレストランシーバを用いて例１０〜１３に記載の方法のうちのいずれか１つを実行するよう基地局装置を指示するための命令を含んだコンピュータ読み取り可能な記憶媒体とを備える、基地局装置。
【０１０７】
例１６：命令を含むコンピュータ読み取り可能な記憶媒体であって、命令は、プロセッサによって実行されると、プロセッサを組み込んだ装置に、例１〜１３に記載の方法のうちのいずれか１つを実行させる、コンピュータ読み取り可能な記憶媒体。
【図１】
2021518997.tif 000002
【図２】
2021518997.tif 000003
【図３】
2021518997.tif 000004
【図４】
2021518997.tif 000005
【図５】
2021518997.tif 000006
【図６】
2021518997.tif 000007
【図７】
2021518997.tif 000008
【図８】
2021518997.tif 000009
【図９】
2021518997.tif 000010
【手続補正書】
【提出日】令和2年10月20日(2020.10.20)
【手続補正１】
【補正対象書類名】特許請求の範囲
【補正対象項目名】全文
【補正方法】変更
【補正の内容】
【特許請求の範囲】
【請求項１】
ユーザ機器と基地局との間でアップリンク送信スキップ機能を構成するための方法であって、
前記アップリンク送信スキップ機能の第１構成を示すネットワーク設定のＳｋｉｐＵｐｌｉｎｋＴｘＤｙｎａｍｉｃフィールドを含む第１の無線リソース制御メッセージを前記基地局から受信するステップと、
前記アップリンク送信スキップ機能の第２構成を示すユーザ機器設定のＳｋｉｐＵｐｌｉｎｋＴｘＤｙｎａｍｉｃフィールドを前記ユーザ機器において決定するステップと、
前記ユーザ機器設定のＳｋｉｐＵｐｌｉｎｋＴｘＤｙｎａｍｉｃフィールドの表示を含む無線リソース完了メッセージ前記基地局に送信するステップと、
前記アップリンク送信スキップ機能の前記第２構成を用いてアップリンク送信を前記ユーザ機器において処理するステップとを含む、方法。
【請求項２】
前記ユーザ機器設定のＳｋｉｐＵｐｌｉｎｋＴｘＤｙｎａｍｉｃフィールドは、ｔｒｕｅに設定されており、
前記アップリンク送信スキップ機能の前記第２構成を用いて前記アップリンク送信を処理するステップは、
ユーザ機器メモリバッファが前記基地局に送信されるデータを含む場合のみ、前記ユーザ機器設定のＳｋｉｐＵｐｌｉｎｋＴｘＤｙｎａｍｉｃフィールドがｔｒｕｅに設定されていることに基づいてＭｅｄｉａ  Ａｃｃｅｓｓ  Ｃｏｎｔｒｏｌ  Ｐｒｏｔｏｃｏｌ  Ｄａｔａ  Ｕｎｉｔ（ＭＡＣ  ＰＤＵ）を生成して前記基地局に送信するステップを含む、請求項１に記載の方法。
【請求項３】
前記ユーザ機器設定のＳｋｉｐＵｐｌｉｎｋＴｘＤｙｎａｍｉｃフィールドはｔｒｕｅに設定されており、前記アップリンク送信スキップ機能の前記第２構成を用いて前記アップリンク送信を処理するステップは、
送信グラントが、前記ユーザ機器のＣ−ＲＮＴＩ（Ｃｅｌｌ  Ｒａｄｉｏ  Ｎｅｔｗｏｒｋ  Ｔｅｍｐｏｒａｒｙ  Ｉｄｅｎｔｉｆｉｅｒ）に宛てられている、または構成済みアップリンクグラントであり、
ａｐｅｒｉｏｄｉｃ  ＣＳＩ（Ｃｈａｎｎｅｌ  Ｓｔａｔｅ  Ｉｎｆｏｒｍａｔｉｏｎ）リポートの特定の物理上りリンク共有チャネル送信要求がなく、
Ｍｅｄｉａ  Ａｃｃｅｓｓ  Ｃｏｎｔｒｏｌ  Ｐｒｏｔｏｃｏｌ  Ｄａｔａ  ＵｎｉｔがゼロＭｅｄｉａ  Ａｃｃｅｓｓ  Ｃｏｎｔｒｏｌ  Ｓｅｒｖｉｃｅ  Ｄａｔａ  Ｕｎｉｔ（ＭＡＣ  ＳＤＵ）を含み、
前記Ｍｅｄｉａ  Ａｃｃｅｓｓ  Ｃｏｎｔｒｏｌ  Ｐｒｏｔｏｃｏｌ  Ｄａｔａ  Ｕｎｉｔが周期的バッファステータスリポート（ＢＳＲ）のみを含み、かつ、任意のＬＣＧ（Ｌｏｇｉｃａｌ  Ｃｈａｎｎｅｌ  Ｇｒｏｕｐ）が利用可能なデータがない、または、前記Ｍｅｄｉａ  Ａｃｃｅｓｓ  Ｃｏｎｔｒｏｌ  Ｐｒｏｔｏｃｏｌ  Ｄａｔａ  Ｕｎｉｔがパティングバッファステータスリポートのみを含む場合、
前記ユーザ機器設定のＳｋｉｐＵｐｌｉｎｋＴｘＤｙｎａｍｉｃフィールドがｔｒｕｅに設定されていることに基づいて、前記Ｍｅｄｉａ  Ａｃｃｅｓｓ  Ｃｏｎｔｒｏｌ  Ｐｒｏｔｏｃｏｌ  Ｄａｔａ  Ｕｎｉｔを生成して前記基地局に送信することを控えるステップを含む、請求項１に記載の方法。
【請求項４】
前記送信グラントまたは前記構成済みアップリンクグラントは、ハイブリッド自動再送要求エンティティ（ＨＡＲＱエンティティ）に対して示されている、請求項３に記載の方法。
【請求項５】
前記ユーザ機器設定のＳｋｉｐＵｐｌｉｎｋＴｘＤｙｎａｍｉｃフィールドは、ｆａｌ
ｓｅに設定されており、
前記アップリンク送信スキップ機能の前記第２構成を用いて前記アップリンク送信を処理するステップは、
前記アップリンク送信スキップ機能をサポートしないステップを含む、請求項１に記載の方法。
【請求項６】
前記アップリンク送信スキップ機能をサポートしないステップは、
前記ユーザ機器のＣｅｌｌ  Ｒａｄｉｏ  Ｎｅｔｗｏｒｋ  Ｔｅｍｐｏｒａｒｙ  Ｉｄｅｎｔｉｆｉｅｒ（Ｃ−ＲＮＴＩ）に宛てられた送信グラントを受信するまたは構成済みアップリンクグラントを受信することに応答してＭｅｄｉａ  Ａｃｃｅｓｓ  Ｃｏｎｔｒｏｌ  Ｐｒｏｔｏｃｏｌ  Ｄａｔａ  Ｕｎｉｔ（ＭＡＣ  ＰＤＵ）を生成するステップと、
前記Ｍｅｄｉａ  Ａｃｃｅｓｓ  Ｃｏｎｔｒｏｌ  Ｐｒｏｔｏｃｏｌ  Ｄａｔａ  Ｕｎｉｔを、前記送信グラントまたは前記構成済みアップリンクグラントにおいて示される時間／周波数リソースに含めて送信するステップとを含む、請求項５に記載の方法。
【請求項７】
前記Ｍｅｄｉａ  Ａｃｃｅｓｓ  Ｃｏｎｔｒｏｌ  Ｐｒｏｔｏｃｏｌ  Ｄａｔａ  Ｕｎｉｔは、１つ以上のＭｅｄｉａ  Ａｃｃｅｓｓ  Ｃｏｎｔｒｏｌ  Ｓｅｒｖｉｃｅ  Ｄａｔａ  Ｕｎｉｔ（ＭＡＣ  ＳＤＵ）を含む、請求項６に記載の方法。
【請求項８】
前記Ｍｅｄｉａ  Ａｃｃｅｓｓ  Ｃｏｎｔｒｏｌ  Ｐｒｏｔｏｃｏｌ  Ｄａｔａ  Ｕｎｉｔは、周期的バッファステータスリポートまたはパティングバッファステータスリポートのみを含む、請求項６に記載の方法。
【請求項９】
前記送信グラントまたは前記構成済みアップリンクグラントは、前記ユーザ機器のハイブリッド自動再送要求エンティティ（ＨＡＲＱエンティティ）に対して示されている、請求項６〜８のいずれか１項に記載の方法。
【請求項１０】
ユーザ機器と基地局との間のアップリンク送信のための方法であって、
アップリンク送信スキップ機能の第１構成を示すネットワーク設定のＳｋｉｐＵｐｌｉｎｋＴｘＤｙｎａｍｉｃフィールドを含む第１の無線リソース制御メッセージを前記ユーザ機器に送信するステップと、
前記アップリンク送信スキップ機能の第２構成を指定するユーザ機器設定のＳｋｉｐＵｐｌｉｎｋＴｘＤｙｎａｍｉｃフィールドの表示を含む無線リソース完了メッセージを前記ユーザ機器から受信するステップと、
前記アップリンク送信スキップ機能の前記第２構成を用いることに基づいて前記ユーザ機器と情報を交換するステップとを含む、方法。
【請求項１１】
前記アップリンク送信スキップ機能の前記第２構成は、前記アップリンク送信スキップ機能を有効にし、
前記ユーザ機器と情報を交換するステップは、ハイブリッド自動再送要求に対する、少なくとも１つのＭｅｄｉａ  Ａｃｃｅｓｓ  Ｃｏｎｔｒｏｌ  Ｐｒｏｔｏｃｏｌ  Ｄａｔａ  Ｕｎｉｔのアップリンク送信のスキップを想定することを含む、請求項１０に記載の方法。
【請求項１２】
前記第２構成を用いることに基づいて前記ユーザ機器と情報を交換するステップは、
前記想定されたアップリンク送信スキップに応答して、再送要求を前記ユーザ機器に送信することを控えるステップを含む、請求項１１に記載の方法。
【請求項１３】
前記ネットワーク設定のＳｋｉｐＵｐｌｉｎｋＴｘＤｙｎａｍｉｃフィールドが示す前
記第１構成は、前記ユーザ機器設定のＳｋｉｐＵｐｌｉｎｋＴｘＤｙｎａｍｉｃフィールドが示す前記第２構成とは異なり、
前記アップリンク送信スキップ機能の前記第２構成を用いることに基づいて前記ユーザ機器と情報を交換するステップは、
前記情報を交換するステップに用いられる前記アップリンク送信スキップ機能を定めるために前記第１構成よりも前記第２構成を優先するステップを含む、請求項１０〜１２のいずれか１項に記載の方法。
【請求項１４】
ユーザ機器装置であって、
少なくとも１つのワイヤレストランシーバと、
プロセッサと、
前記プロセッサによる実行に応じて前記少なくとも１つのワイヤレストランシーバを用いて請求項１〜９のいずれか１項に記載の方法を実行するよう前記ユーザ機器装置に指示するための命令を含んだコンピュータ読み取り可能な記憶媒体とを備える、ユーザ機器装置。
【請求項１５】
基地局装置であって、
少なくとも１つのワイヤレストランシーバと、
プロセッサと、
前記プロセッサによる実行に応じて前記少なくとも１つのワイヤレストランシーバを用いて請求項１０〜１３のいずれか１項に記載の方法を実行するよう前記基地局装置を指示するための命令を含んだコンピュータ読み取り可能な記憶媒体とを備える、基地局装置。
【国際調査報告】
2021518997.tif 000011
2021518997.tif 000012
2021518997.tif 000013